(57)【特許請求の範囲】
【請求項１】
外部機器との間の伝送路に用意された複数の差動信号レーンを利用してデジタル信号の双方向伝送を行うデジタル信号送受信部と、
上記外部機器との間で上記伝送路に用意された双方向通信ラインを利用した通信を行って使用レーン数、使用レーン番号、伝送方向および使用レーンで伝送されるデジタル信号の搬送クロック周波数を含む伝送路構成を決定する伝送路構成決定部と、
上記伝送路構成決定部で決定された伝送路構成の情報に基づいて、上記デジタル信号送受信部の構成を制御する伝送路構成制御部と、
上記デジタル信号送受信部で上記外部機器から受信されたデジタル信号から上記決定された周波数の搬送クロックを抽出し、該搬送クロックに基づいて上記受信されたデジタル信号を処理してビデオデータを得、該ビデオデータによる表示を行う表示部と
を備える電子機器。
【請求項２】
外部機器との間の伝送路に用意された複数の差動信号レーンを利用してデジタル信号の双方向伝送を行うデジタル信号送受信部を備える電子機器の制御方法であって、
上記外部機器との間で上記伝送路に用意された双方向通信ラインを利用した通信を行って使用レーン数、使用レーン番号、伝送方向および使用レーンで伝送されるデジタル信号の搬送クロック周波数を含む伝送路構成を決定する伝送路構成決定ステップと、
上記伝送路構成決定ステップで決定された伝送路構成の情報に基づいて、上記デジタル信号送受信部の構成を制御する伝送路構成制御ステップと、
上記デジタル信号送受信部で上記外部機器から受信されたデジタル信号から上記決定された周波数の搬送クロックを抽出し、該搬送クロックに基づいて上記受信されたデジタル信号を処理してビデオデータを得、該ビデオデータによる表示を行う表示ステップ
を有する電子機器の制御方法。
【発明の詳細な説明】
【技術分野】
【０００１】
この発明は、電子機器および電子機器の制御方法に関する。
【背景技術】
【０００２】
近年、ＣＥ（Consumer Electronics）機器をつなぐ、デジタルインタフェースとして、ＨＤＭＩ(High Definition Multimedia Interface)が幅広く用いられており、業界でのデファクトスタンダードとなっている。例えば、非特許文献１には、ＨＤＭＩ規格についての記載がある。このＨＤＭＩ規格においては、３データ差動ラインペア（TMDS Channel 0/1/2）を用いて、デジタル信号としてビデオ、オーディオ、コントロールの各信号の伝送を行っている。
【０００３】
従来、図３７に示すような、ベースバンドのビデオ信号の部屋間伝送を行うＡＶシステム９０が知られている。このＡＶシステム９０は、リビングに配置されたシンク機器としてのテレビ受信機９１と寝室に配置されたシンク機器としてのテレビ受信機９２とが、伝送路としてのケーブル９３により接続された構成とされている。テレビ受信機９１には、例えば、ＨＤＭＩデジタルインタフェースにより、セットトップボックス（ＳＴＢ：Set Top Box）９４ａ、ＤＶＤ（Digital Versatile Disc）プレーヤ９４ｂ、ハンディカメラ９４ｃ等のソース機器が接続されている。
【０００４】
このＡＶシステム９０においては、テレビ受信機９１に接続されているソース機器からのデジタルビデオ信号はテレビ受信機９１に送信され、さらに、ケーブル９３を介して、テレビ受信機９２にも送信可能となる。そのため、寝室のテレビ受信機９２においても、リビングのテレビ受信機９１に接続されているソース機器からのデジタルビデオ信号による画像の表示が可能となる。
【先行技術文献】
【非特許文献】
【０００５】
【非特許文献１】High-Definition Multimedia Interface Specification Version 1.4,June 5 2009
【発明の概要】
【発明が解決しようとする課題】
【０００６】
従来のベースバンドのビデオ信号の部屋間伝送においては、上述の図３７に示すＡＶシステム９０のように、ビデオ信号の伝送方向は、ソース機器が存在する部屋からの一方向のみである。すなわち、双方の部屋から双方向で自由にビデオデータを伝送することは不可能であった。また、その部屋間伝送においては、そのインターフェース上を流れるデータは１つであったり、複数であってもピクセルクロックとは非同期にパケット化されていたりしており、機器設計の難易度と視聴者の利便性の両面において、不都合となっていた。
【０００７】
この発明の目的は、ビデオなどのデジタル信号を他の電子機器との間で双方向に効率よく伝送可能とすることにある。
【課題を解決するための手段】
【０００８】
この発明の概念は、
外部機器との間の伝送路に用意された複数の差動信号レーンを利用してデジタル信号の双方向伝送を行うデジタル信号送受信部と、
上記外部機器との間で上記伝送路に用意された双方向通信ラインを利用した通信を行って使用レーン数、使用レーン番号および伝送方向を含む伝送路構成を決定する伝送路構成決定部と、
上記伝送路構成決定部で決定された伝送路構成の情報に基づいて、上記デジタル信号送受信部の構成を制御する伝送路構成制御部と
を備える電子機器にある。
【０００９】
この発明においては、デジタル信号送受信部により、外部機器との間の伝送路に用意された複数の差動信号レーンを利用してデジタル信号の双方向伝送が行われる。例えば、デジタル信号送受信部は、複数の差動信号レーンを利用して伝送されるデジタル信号の搬送クロックとして互いに独立した搬送クロックの使用が可能とされてもよい。これにより、差動信号レーン毎に任意の伝送ビットレートによる伝送が可能となる。
【００１０】
また、例えば、デジタル信号送受信部は、所定の差動信号レーンを用いてデジタル信号を送信する際に、このデジタル信号に搬送クロックを重畳して送信する、ようにされてもよい。これにより、デジタル信号の受信側においては、このデジタル信号から抽出された搬送クロックに基づいて受信処理を行うことが可能となる。
【００１１】
また、例えば、デジタル信号はデジタルビデオ信号であり、搬送クロックはデジタルビデオ信号のピクセルクロックに同期した搬送クロックとされる。これにより、受信側においては、このデジタル信号から抽出された搬送クロックに基づいて、デジタルビデオ信号の受信処理を容易に行うことができる。
【００１２】
また、例えば、デジタル信号送受信部は、所定の差動信号レーンを利用してデジタル信号を送信する際、このデジタル信号を送信する前に、外部機器に、このデジタル信号に重畳されている搬送クロックの周波数情報を、双方向通信ラインを介して通知する、ようにされてもよい。これにより、受信側においては、デジタル信号に重畳されている搬送クロックの迅速な抽出が可能となる。
【００１３】
また、例えば、デジタル信号送受信部は、所定の差動信号レーンを利用してデジタル信号を送信する際、このデジタル信号を送信する前に、外部機器に、このデジタル信号に重畳されている搬送クロックに同期したリファレンスクロックを送信する、ようにされてもよい。これにより、受信側がこのリファレンスクロックに同期した状態となってから実際の送信デジタル信号を送信でき、受信側において正確なデジタル信号受信が可能となる。
【００１４】
また、例えば、デジタル信号送受信部は、外部機器にリファレンスクロックを送信し、外部機器から双方向通信ラインを通じて送信クロックに同期したことの通知があった後に、外部機器へのデジタル信号の送信を開始する、ようにされてもよい。これにより、受信側がこのリファレンスクロックに完全に同期した状態となってから実際の送信デジタル信号を送信でき、受信側においてより正確なデジタル信号受信が可能となる。
【００１５】
また、例えば、デジタル信号送受信部は、所定の差動信号レーンを利用してデジタル信号を送信する際、このデジタル信号の無効データ区間あるいは制御データ送信区間において搬送クロック抽出のための固定パターンを挿入する、ようにされてもよい。これにより、受信側が受信した固定パターンから搬送クロックを適宜正確かつ容易に抽出し、常に同期した状態を保って受信することが可能になり、受信側において正確なデジタル信号受信が可能となる。
【００１６】
また、例えば、デジタル信号送受信部は、送信デジタル信号に、使用する差動信号レーンの数に応じたパッキング処理を施し、各レーンで送信すべきデジタル信号を生成する、ようにされてもよい。この場合、例えば、送信デジタル信号は、他の外部機器から、所定数の差動信号レーンを使用して送信されてくるデジタル信号とされる。また、この場合、例えば、デジタル信号送受信部は、各レーンで送信すべきデジタル信号にそれぞれ搬送クロックを重畳して送信する、ようにされる。このように使用する差動信号レーンの数に応じたパッキング処理を施すことで、使用する差動信号レーンを用いた効率のよい伝送が可能となる。
【００１７】
伝送路構成決定部により、外部機器との間で伝送路に用意された双方向通信ラインを利用した通信を行って使用レーン数、使用レーン番号および伝送方向を含む伝送路構成が決定される。この際、外部機器が起動していない場合には、外部機器を起動して、使用レーン数、使用レーン番号および伝送方向を含む伝送路構成が決定される。なお、伝送路構成決定部で決定される伝送路構成には、使用レーンで伝送されるデジタル信号の搬送クロック周波数がさらに含まれてもよい。そして、伝送路構成制御部により、伝送路構成決定部で決定された伝送路構成の情報に基づいて、デジタル信号送受信部の構成が制御される。
【００１８】
このように、この発明においては、複数の差動信号レーンのうち、伝送に必要とする差動信号レーンのみを用いて双方向伝送を行うことができ、ビデオなどのデジタル信号を他の電子機器との間で双方向に効率よく伝送することが可能となる。
【００１９】
なお、この発明において、例えば、外部機器から、接続ソース機器情報を伝送路を介して取得する接続機器情報取得部と、自身の接続ソース機器と外部機器の接続ソース機器との情報を表示するユーザインタフェース部をさらに備える、ようにされてもよい。この場合、外部機器の接続ソース機器も、自身の接続ソース機器と同列に扱うことが可能となる。
【００２０】
また、この発明の他の概念は、
第１の外部機器から、差動信号により、伝送路を介して、デジタル信号を受信し、上記差動信号のチャネル数を第１の数とする第１の動作モードおよび上記差動信号のチャネル数を上記第１の数よりも大きな第２の数とする第２の動作モードを有するデジタル信号受信部と、
上記第１の外部機器から、上記第１の動作モードおよび上記第２の動作モードのいずれを選択すべきかを示す動作モード情報を受信する情報受信部と、
上記情報受信部で受信された動作モード情報に基づいて、上記デジタル信号受信部の動作を制御する動作制御部と、
第２の外部機器との間の伝送路に用意された複数の差動信号レーンを利用してデジタル信号の双方向伝送を行うデジタル信号送受信部と、
上記第２の外部機器との間で上記伝送路に用意された双方向通信ラインを利用した通信を行って使用レーン数、使用レーン番号および伝送方向を含む伝送路構成を決定する伝送路構成決定部と、
上記伝送路構成決定部で決定された伝送路構成の情報に基づいて、上記デジタル信号送受信部の構成を制御する伝送路構成制御部と
を備える電子機器にある。
【００２１】
この発明において、デジタル信号受信部によって、第１の外部機器（送信装置）から、差動信号により、伝送路を介して、デジタル信号が受信される。このデジタル信号受信部は、第１の動作モードおよび第２の動作モードを有しており、いずれかが選択的に用いられる。差動信号のチャネル数は、第１の動作モードでは第１の数とされ、第２の動作モードでは第１の数より大きな第２の数とされる。例えば、第１の動作モードは現行ＨＤＭＩの動作モードであって第１の数は３とされ、第２の動作モードは新ＨＤＭＩの動作モードであって第２の数は３より大きな６とされる。
【００２２】
情報受信部により、第１の外部機器から、第１の動作モードおよび第２の動作モードのいずれを選択すべきかを示す動作モード情報が受信される。そして、動作制御部により、情報受信部で受信された動作モード情報に基づいて、デジタル信号受信部の動作が制御される。この場合、デジタル信号受信部の動作モードを、第１の外部機器のデジタル信号送信部の動作モードに合わせることが容易となり、第１の外部機器からデジタル信号を良好に受信可能となる。
【００２３】
また、この発明においては、デジタル信号送受信部により、第２の外部機器との間の伝送路に用意された複数の差動信号レーンを利用してデジタル信号の双方向伝送が行われる。伝送路構成決定部により、第２の外部機器との間で伝送路に用意された双方向通信ラインを利用した通信を行って使用レーン数、使用レーン番号および伝送方向を含む伝送路構成が決定される。そして、伝送路構成制御部により、伝送路構成決定部で決定された伝送路構成の情報に基づいて、デジタル信号送受信部の構成が制御される。複数の差動信号レーンのうち、伝送に必要とする差動信号レーンのみを用いて双方向伝送を行うことができ、ビデオなどのデジタル信号を他の電子機器との間で双方向に効率よく伝送することが可能となる。
【００２４】
また、この発明の他の概念は、
所定数のソース機器が接続された複数のシンク機器が伝送路を介して接続されてなる電子機器システムであって、
上記シンク機器は、
他のシンク機器との間の伝送路に用意された複数の差動信号レーンを利用してデジタル信号の双方向伝送を行うデジタル信号送受信部と、
上記他のシンク機器との間で上記伝送路に用意された双方向通信ラインを利用した通信を行って使用レーン数、使用レーン番号および伝送方向を含む伝送路構成を決定する伝送路構成決定部と、
上記伝送路構成決定部で決定された伝送路構成の情報に基づいて、上記デジタル信号送受信部の構成を制御する伝送路構成制御部とを備える
電子機器システムにある。
【００２５】
この発明において、電子機器システムは、所定数のソース機器が接続された複数のシンク機器が伝送路を介して接続された構成とされている。各シンク機器は伝送路により接続されており、シンク機器間では、伝送路に用意された複数の差動信号レーンが利用されて、デジタル信号の双方向伝送が行われる。
【００２６】
各シンク機器には、デジタル信号送受信部、伝送路構成決定部および伝送路構成制御部が備えられている。デジタル信号送受信部により、他のシンク機器との間の伝送路に用意された複数の差動信号レーンを利用してデジタル信号の双方向伝送が行われる。伝送路構成決定部により、他のシンク機器との間で伝送路に用意された双方向通信ラインを利用した通信を行って使用レーン数、使用レーン番号および伝送方向を含む伝送路構成が決定される。そして、伝送路構成制御部により、伝送路構成決定部で決定された伝送路構成の情報に基づいて、デジタル信号送受信部の構成が制御される。
【００２７】
このように、各シンク機器においては、複数の差動信号レーンのうち、伝送に必要とする差動信号レーンのみを用いて他のシンク機器との間で双方向伝送を行うことができる。したがって、シンク機器間において、ビデオなどのデジタル信号を効率よく伝送することが可能となる。
【発明の効果】
【００２８】
この発明によれば、複数の差動信号レーンのうち、伝送に必要とする差動信号レーンのみを用いて双方向伝送を行うことができ、ビデオなどのデジタル信号を他の電子機器との間で双方向に効率よく伝送することが可能となる。
【図面の簡単な説明】
【００２９】
【図１】この発明の実施の形態としてのＡＶシステムの構成例を示すブロック図である。
【図２】ＡＶシステムを構成するシンク機器とそれに接続されるソース機器との間のデジタルインタフェースを示すブロック図である。
【図３】ソース機器、ＨＤＭＩケーブルおよびシンク機器の組み合わせ例を示す図である。
【図４】ソース機器のデータ送信部とシンク機器のデータ受信部の構成例（現行ＨＤＭＩの動作モード時）を示す図である。
【図５】ソース機器のデータ送信部とシンク機器のデータ受信部の構成例（新ＨＤＭＩの動作モード時）を示す図である。
【図６】ＴＭＤＳ伝送データの構造例を示す図である。
【図７】現行ＨＤＭＩ（Type Ａ）および新ＨＤＭＩのピンアサイメントを比較して示す図である。
【図８】現行ＨＤＭＩおよび新ＨＤＭＩのソース機器、シンク機器のレセプタクルのピン配置を示す図である。
【図９】現行ＨＤＭＩケーブルの構造例を示す図である。
【図１０】新ＨＤＭＩケーブルの構造例を示す図である。
【図１１】新ＨＤＭＩケーブルの他の構造例を示す図である。
【図１２】ソース機器の制御部の動作モード制御の処理手順の一例を示すフローチャートである。
【図１３】ソース機器の制御部の制御により表示部（ディスプレイ）に表示されるＵＩ画面の一例を示す図である。
【図１４】ソース機器の制御部の動作モード制御の処理手順の他の例を示すフローチャートである。
【図１５】ＥＤＩＤ上に新たに定義されるフラグ情報の例を示す図である。
【図１６】制御部におけるケーブルが新ＨＤＭＩに対応しているか否かの判断の方法を説明するための図であって、新ＨＤＭＩケーブルのプラグにＬＳＩが内蔵されていることを示す図である。
【図１７】制御部におけるケーブルが新ＨＤＭＩに対応しているか否かの判断の方法を説明するための図であって、新ＨＤＭＩケーブル内ＬＳＩのＥＤＩＤデータ書換え回路の一例を示す図である。
【図１８】制御部におけるケーブルが新ＨＤＭＩに対応しているか否かの判断の方法を説明するための図であって、新ＨＤＭＩケーブルのプラグにＲＦタグチップ（ＬＳＩ）が内蔵されていることを示す図である。
【図１９】制御部におけるケーブルが新ＨＤＭＩに対応しているか否かの判断の方法を説明するための図であって、ケーブルの電気的特性の測定を行うことで、ケーブルが新ＨＤＭＩに対応しているか否かを判断することを説明するための図である。
【図２０】ケーブルの電気的特性の測定を行うことで、ケーブルが新ＨＤＭＩに対応しているか否かを判断することを説明するための図である。
【図２１】新ＨＤＭＩのケーブルプラグ、レセプタクルの形状の他の例を説明するための図である。
【図２２】現行ＨＤＭＩケーブルと新ＨＤＭＩケーブルのプラグの斜視図である。
【図２３】ＡＶシステムを構成するシンク機器とシンク機器との間のデジタルインタフェースを示すブロック図である。
【図２４】シンク機器の一方から他方にビデオ信号等のデジタル信号を送信する際の制御部の制御シーケンス例を示す図である。
【図２５】シンク機器を構成するデータ送受信部の構成例を示すブロック図である。
【図２６】データ送受信部を構成するデータチャネルインタフェース部の構成例を示すブロック図である。
【図２７】データ送受信部を構成するデータ送信回路の構成例を示すブロック図である。
【図２８】データ送受信部を構成するデータ受信回路の構成例を示すブロック図である。
【図２９】現行ＨＤＭＩで用いられているビデオ伝送フォーマットの例を示す図である。
【図３０】この発明のリパッキングによるビデオ伝送フォーマットの例を示す図である。
【図３１】この発明のリパッキングによるビデオ伝送フォーマットの例（２ストリーム分伝送）を示す図である。
【図３２】寝室のテレビ受信機の視聴者が、リビングのテレビ受信機に接続されているソース機器のビデオの視聴を希望した場合の動作例を説明するためのシーケンス図である。
【図３３】寝室のテレビ受信機が自身に接続されているソース機器と共にリビングのテレビ受信機に接続されているソース機器のリストを表示するＵＩ表示の一例を示す図である。
【図３４】多部屋間接続形態の一例を示す図である。
【図３５】多部屋間接続形態の他の例を示す図である。
【図３６】部屋間接続においてスイッチ機器が介在した場合の伝送開始までの制御に関するシーケンスを概略的に示す図である。
【図３７】ベースバンドのビデオ信号の部屋間伝送を行うＡＶシステの構成例を示す図である。
【発明を実施するための形態】
【００３０】
以下、発明を実施するための形態（以下、「実施の形態」とする）について説明する。なお、説明を以下の順序で行う。
１．実施の形態
２．変形例
【００３１】
＜１．実施の形態＞
［ＡＶシステムの構成例］
図１は、実施の形態としてのＡＶ（Audio and Visual）システム１０の構成例を示している。このＡＶシステム１０は、リビングに配置されたシンク機器としてのテレビ受信機１１と寝室に配置されたシンク機器としてのテレビ受信機１２とが、伝送路としてのケーブル１３により接続された構成とされている。
【００３２】
リビングのテレビ受信機１１には、例えば、ＨＤＭＩデジタルインタフェースにより、セットトップボックス（ＳＴＢ：Set Top Box）１４ａ、ＤＶＤ（Digital Versatile Disc）プレーヤ１４ｂ、レコーダ１４ｃ、ゲームコンソール１４ｄ、ハンディカメラ１４ｅ等のソース機器が接続されている。この場合、テレビ受信機１１と各ソース機器とは、伝送路としてのＨＤＭＩケーブル１５で接続されている。
【００３３】
また、寝室のテレビ受信機１２には、例えば、ＨＤＭＩデジタルインタフェースにより、パーソナルコンピュータ（ＰＣ：Personal Computer）１６ａ、ＤＶＤ（Digital Versatile Disc）プレーヤ１６ｂ、レコーダ１６ｃ等のソース機器が接続されている。この場合、テレビ受信機１２と各ソース機器とは、伝送路としてのＨＤＭＩケーブル１７で接続されている。
【００３４】
このＡＶシステム１０では、テレビ受信機１１とテレビ受信機１２との間のケーブル１３には複数の差動信号レーン（ビデオ信号ライン）が用意されており、これらの間ではこの差動信号レーンが利用されてビデオ信号などのデジタル信号の双方向伝送が行われる。この場合、テレビ受信機１１とテレビ受信機１２との間で、ケーブル１３に用意された双方向通信ラインを利用した通信が行われて、必要であれば、すなわち他方が起動していない場合には起動し、使用レーン数、使用レーン番号、伝送方向などを含む伝送路構成が決定される。そして、テレビ受信機１１，１２は、決定された伝送路構成となって、ビデオ信号などのデジタル信号の双方向伝送を行う。
【００３５】
［ソース機器とシンク機器との間のデジタルインタフェース］
最初に、テレビ受信機１１とこれに接続されているソース機器との間、あるいはテレビ受信機１２とこれに接続されているソース機器との間のデジタルインタフェース２０について説明する。図２は、デジタルインタフェース２０の構成例を示している。
【００３６】
ソース機器１１０およびシンク機器１２０は、ケーブル２００を介して接続されている。ソース機器１１０には、データ送信部１１２が接続された、コネクタを構成するレセプタクル１１１が設けられている。シンク機器１２０には、データ受信部１２２が接続された、コネクタを構成するレセプタクル１２１が設けられている。また、ケーブル２００の一端にはコネクタを構成するプラグ２０１が設けられ、その他端にはコネクタを構成するプラグ２０２が設けられている。ケーブル２００の一端のプラグ２０１はソース機器１１０のレセプタクル１１１に接続され、このケーブル２００の他端のプラグ２０２はシンク機器１２０のレセプタクル１２１に接続されている。
【００３７】
ソース機器１１０は、制御部１１３を有している。この制御部１１３は、ソース機器１１０の全体を制御する。この実施の形態において、ソース機器１１０のデータ送信部１１２は、現行ＨＤＭＩおよび新ＨＤＭＩの双方に対応している。制御部１１３は、ケーブル２００が新ＨＤＭＩに対応し、かつシンク機器１２０が新ＨＤＭＩに対応していると判断する場合、データ送信部１１２を新ＨＤＭＩの動作モードで動作するように制御する。一方、制御部１１３は、少なくとも、シンク機器１２０が現行ＨＤＭＩにのみ対応していると判断する場合、あるいはケーブル２００が現行ＨＤＭＩに対応していると判断する場合、データ送信部１１２を現行ＨＤＭＩの動作モードで動作するように制御する。
【００３８】
シンク機器１２０は、制御部１２３を有している。この制御部１２３は、シンク機器１２０の全体を制御する。この実施の形態において、シンク機器１２０のデータ受信部１２２は、現行ＨＤＭＩにのみ、あるいは現行ＨＤＭＩおよび新ＨＤＭＩの双方に対応している。データ受信部１２２が現行ＨＤＭＩおよび新ＨＤＭＩの双方に対応している場合、制御部１２３は、このデータ受信部１２２を、ソース機器１１０のデータ送信部１１２と同じ動作モードで動作するように制御する。この場合、制御部１２３は、ソース機器１１０からＣＥＣなどのラインを通じて送られる動作モードの判断結果に基づいて、データ受信部１２２の動作モードを制御する。ケーブル２００は、現行ＨＤＭＩ、あるいは新ＨＤＭＩに対応している。
【００３９】
図２に示すデジタルインタフェース２０において、図３（ａ）に示すように、ケーブル２００が新ＨＤＭＩに対応し、また、シンク機器１２０が現行ＨＤＭＩおよび新ＨＤＭＩの双方に対応しているとき、新ＨＤＭＩでのデータ伝送が行われる。この際、ソース機器１１０のデータ送信部１１２およびシンク機器１２０のデータ受信部１２２は、新ＨＤＭＩの動作モードで動作するように制御される。
【００４０】
また、図２に示すデジタルインタフェース２０において、図３（ｂ）〜（ｄ）に示すように、少なくとも、ケーブル２００が現行ＨＤＭＩに対応しているか、あるいはシンク機器１２０が現行ＨＤＭＩにのみ対応しているとき、現行ＨＤＭＩでのデータ伝送が行われる。この際、ソース機器１１０のデータ送信部１１２は、現行ＨＤＭＩの動作モードで動作するように制御される。また、現行ＨＤＭＩおよび新ＨＤＭＩの双方に対応しているシンク機器１２０のデータ受信部１２２は、現行ＨＤＭＩの動作モードで動作するように制御される。なお、図３（ｂ）の場合には、データ転送レートを低くするなどしてケーブル２００が新ＨＤＭＩのデータ伝送が可能なときには、新ＨＤＭＩモードでのデータ伝送が行われることがある。
【００４１】
［データ送信部、データ受信部の構成例］
図４、図５は、図２に示すデジタルインタフェース２０における、ソース機器１１０のデータ送信部１１２と、シンク機器１２０のデータ受信部１２２の構成例を示している。データ送信部１１２は、有効画像区間（「アクティブビデオ区間」ともいう）において、非圧縮の１画面分のビデオデータに対応する差動信号を、複数のチャネルで、データ受信部１２２に一方向に送信する。
【００４２】
ここで、有効画像区間は、一の垂直同期信号から次の垂直同期信号までの区間から、水平帰線区間及び垂直帰線区間を除いた区間である。また、データ送信部１１２は、水平帰線区間または垂直帰線区間において、少なくともビデオデータに付随するオーディオデータや制御データ、その他の補助データ等に対応する差動信号を、複数のチャネルで、データ受信部１２２に一方向に送信する。
【００４３】
データ受信部１２２は、アクティブビデオ区間において、複数のチャネルで、データ送信部１２２から一方向に送信されてくる、ビデオデータに対応する差動信号を受信する。また、このデータ受信部１２２は、水平帰線区間または垂直帰線区間において、複数のチャネルで、データ送信部１１２から一方向に送信されてくる、オーディオデータや制御データに対応する差動信号を受信する。
【００４４】
データ送信部１１２とデータ受信部１２２とからなるＨＤＭＩシステムの伝送チャネルには、以下のものがある。まず、伝送チャネルとして、差動信号チャネル（ＴＭＤＳチャネル、ＴＭＤＳクロックチャネル）がある。ビデオデータ等のデジタル信号を伝送するための差動信号チャネルは、現行ＨＤＭＩにおいては３チャネルであるが、新ＨＤＭＩにおいては６チャネルである。
【００４５】
現行ＨＤＭＩにおける差動信号チャネルについて説明する。図４に示すように、データ送信部１１２からデータ受信部１２２に対して、ビデオデータおよびオーディオデータを、ピクセルクロックに同期して、一方向にシリアル伝送するための伝送チャネルとしての、３つのＴＭＤＳチャネル＃０〜＃２がある。また、ＴＭＤＳクロックを伝送する伝送チャネルとしての、ＴＭＤＳクロックチャネルがある。
【００４６】
データ送信部１１２のＨＤＭＩトランスミッタ８１は、例えば、非圧縮のビデオデータを対応する差動信号に変換し、３つのＴＭＤＳチャネル＃０，＃１，＃２で、ケーブル２００を介して接続されているデータ受信部１２２に、一方向にシリアル伝送する。また、ＨＤＭＩトランスミッタ８１は、非圧縮のビデオデータに付随するオーディオデータ、必要な制御データその他の補助データ等を、対応する差動信号に変換し、３つのＴＭＤＳチャネル＃０，＃１，＃２で、データ受信部１２２に、一方向にシリアル伝送する。
【００４７】
さらに、ＨＤＭＩトランスミッタ８１は、３つのＴＭＤＳチャネル＃０，＃１，＃２で送信するビデオデータに同期したＴＭＤＳクロックを、ＴＭＤＳクロックチャネルで、データ送信部１２２に送信する。ここで、１つのＴＭＤＳチャネル＃ｉ（ｉ＝０，１，２）では、ＴＭＤＳクロックの１クロックの間に、１０ビットのビデオデータが送信される。
【００４８】
データ受信部１２２のＨＤＭＩレシーバ８２は、ＴＭＤＳチャネル＃０，＃１，＃２で、データ送信部１１２から一方向に送信されてくる、ビデオデータに対応する差動信号と、オーディオデータや制御データに対応する差動信号を受信する。この場合、データ送信部１１２からＴＭＤＳクロックチャネルで送信されてくるピクセルクロック（ＴＭＤＳクロック）に同期して受信する。
【００４９】
次に、新ＨＤＭＩにおける差動信号チャネルについて説明する。図５に示すように、データ送信部１１２からデータ受信部１２２に対して、ビデオデータおよびオーディオデータを、ピクセルクロックに同期して、一方向にシリアル伝送するための伝送チャネルとしての、６つのＴＭＤＳチャネル＃０〜＃５がある。なお、この新ＨＤＭＩでは、ＴＭＤＳクロックの伝送は省略され、受信側においては受信データからクロックを再生するセルフクロック方式が採用される。
【００５０】
データ送信部１１２のＨＤＭＩトランスミッタ８１は、例えば、非圧縮のビデオデータを対応する差動信号に変換し、６つのＴＭＤＳチャネル＃０〜＃５で、ケーブル２００を介して接続されているデータ受信部１２２に、一方向にシリアル伝送する。また、このＨＤＭＩトランスミッタ８１は、非圧縮のビデオデータに付随するオーディオデータ、必要な制御データその他の補助データ等を、対応する差動信号に変換し、６つのＴＭＤＳチャネル＃０〜＃５で、データ受信部１２２に、一方向にシリアル伝送する。
【００５１】
データ受信部１２２のＨＤＭＩレシーバ８２は、ＴＭＤＳチャネル＃０〜＃５で、データ送信部１１２から一方向に送信されてくる、ビデオデータに対応する差動信号と、オーディオデータや制御データに対応する差動信号を受信する。この場合、ＨＤＭＩレシーバ８２は、受信データからピクセルクロックを再生し、そのピクセルクロック（ＴＭＤＳクロック）に同期して受信する。
【００５２】
ＨＤＭＩシステムの伝送チャネルには、上述のＴＭＤＳチャネル、ＴＭＤＳクロックチャネルの他に、ＤＤＣ（Display Data Channel）やＣＥＣラインと呼ばれる伝送チャネルがある。ＤＤＣは、ケーブル２００に含まれる図示しない２本の信号線からなる。ＤＤＣは、データ送信部１１２が、データ受信部１２２から、Ｅ−ＥＤＩＤ（Enhanced Extended Display Identification Data）を読み出すために使用される。
【００５３】
すなわち、データ受信部１２２は、ＨＤＭＩレシーバ８２の他に、自身の能力（Configuration/capability）に関する能力情報であるＥ−ＥＤＩＤを記憶している、ＥＤＩＤ  ＲＯＭ(ＥＥＰＲＯＭ)を有している。データ送信部１１２は、例えば、制御部１１３からの要求に応じて、ケーブル２００を介して接続されているデータ受信部１２２から、Ｅ−ＥＤＩＤを、ＤＤＣを介して読み出す。
【００５４】
データ送信部１１２は、読み出したＥ−ＥＤＩＤを制御部１１３に送る。制御部１１３は、このＥ−ＥＤＩＤを、図示しないフラッシュＲＯＭあるいはＤＲＡＭに格納する。制御部１１３は、Ｅ−ＥＤＩＤに基づき、データ受信部１２２の能力の設定を認識できる。例えば、制御部１１３は、データ受信部１２２を有するシンク機器１２０が、現行ＨＤＭＩの他に、新ＨＤＭＩに対応しているか否か等を認識する。ＣＥＣラインは、ケーブル２００に含まれる図示しない１本の信号線からなり、データ送信部１１２とデータ受信部１２２との間で、制御用のデータの双方向通信を行うために用いられる。
【００５５】
また、ケーブル２００には、ＨＰＤ(Hot Plug Detect)と呼ばれるピンに接続されるライン（ＨＰＤライン）が含まれている。ソース機器は、このＨＰＤラインを利用して、シンク機器の接続を検出することができる。なお、このＨＰＤラインは双方向通信路を構成するＨＥＡＣ−ラインとしても使用される。また、ケーブル２００には、ソース機器からシンク機器に電源を供給するために用いられる電源ライン（＋５Ｖ Power Line）が含まれている。さらに、ケーブル２００には、ユーティリティラインが含まれている。このユーティリティラインは双方向通信路を構成するＨＥＡＣ＋ラインとしても使用される。
【００５６】
図６は、ＴＭＤＳ伝送データの構造例を示している。この図６は、ＴＭＤＳチャネル＃０〜＃２、あるいはＴＭＤＳチャネル＃０〜＃５において、横×縦がＢピクセル×Ａラインの画像データが伝送される場合の、各種の伝送データの区間を示している。ＨＤＭＩのＴＭＤＳチャネルで伝送データが伝送されるビデオフィールド（Video Field）には、伝送データの種類に応じて、３種類の区間が存在する。この３種類の区間は、ビデオデータ区間（Video Data period）、データアイランド区間（Data Island period）、およびコントロール区間（Control period）である。
【００５７】
ここで、ビデオフィールド区間は、ある垂直同期信号の立ち上がりエッジ（active edge）から次の垂直同期信号の立ち上がりエッジまでの区間である。このビデオフィールド区間は、水平ブランキング期間（horizontal blanking）、垂直ブランキング期間（vertical blanking）、並びに、アクティブビデオ区間（Active Video）に分けられる。このアクティブビデオ区間は、ビデオフィールド区間から、水平ブランキング期間および垂直ブランキング期間を除いた区間であるビデオデータ区間は、アクティブビデオ区間に割り当てられる。このビデオデータ区間では、非圧縮の１画面分の画像データを構成するＢピクセル（画素）×Ａライン分の有効画素（Active pixel）のデータが伝送される。
【００５８】
データアイランド区間およびコントロール区間は、水平ブランキング期間および垂直ブランキング期間に割り当てられる。このデータアイランド区間およびコントロール区間では、補助データ（Auxiliary data）が伝送される。
【００５９】
すなわち、データアイランド区間は、水平ブランキング期間と垂直ブランキング期間の一部分に割り当てられている。このデータアイランド区間では、補助データのうち、制御に関係しないデータである、例えば、オーディオデータのパケット等が伝送される。コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【００６０】
ここで、レセプタクル１１１のピンアサイメントを説明する。最初に、現行ＨＤＭＩのピンアサイメント（タイプＡ）を説明する。この現行ＨＤＭＩのピンアサイメントは、第１のピンアサイメントを構成する。図７（ａ）は、この現行ＨＤＭＩのピンアサイメントを示している。ＴＭＤＳチャネル＃ｉ（ｉ＝０〜２）の差動信号であるＴＭＤＳ  Ｄａｔａ＃ｉ＋とＴＭＤＳ  Ｄａｔａ＃ｉ−は、差動ラインである２本のラインにより伝送される。ピン（ピン番号が７，４，１のピン）はＴＭＤＳ  Ｄａｔａ＃ｉ＋に割り当てられ、ピン（ピン番号が９，６，３のピン）はＴＭＤＳ  Ｄａｔａ＃ｉ−に割り当てられている。なお、ピン番号が８，５，２のピンは、ＴＭＤＳ  Ｄａｔａ＃ｉ  Ｓｈｉｅｌｄ（ｉ＝０〜２）に割り当てられている。
【００６１】
ＴＭＤＳクロックチャネルの差動信号であるＴＭＤＳ  Ｃｌｏｃｋ＋とＴＭＤＳ  Ｃｌｏｃｋ−は差動ラインである２本のラインにより伝送される。ピン番号が１０のピンはＴＭＤＳ  Ｃｌｏｃｋ＋に割り当てられ、ピン番号が１２のピンはＴＭＤＳ  Ｃｌｏｃｋ−に割り当てられている。なお、ピン番号が１１のピンは、ＴＭＤＳ  Ｃｌｏｃｋ  Ｓｈｉｅｌｄに割り当てられている。
【００６２】
また、制御用のデータであるＣＥＣ信号は、ＣＥＣラインにより伝送される。ピン番号が１３であるピンは、ＣＥＣ信号に割り当てられている。また、Ｅ−ＥＤＩＤ等のＳＤＡ(Serial Data)信号は、ＳＤＡラインにより伝送される。ピン番号が１６であるピンは、ＳＤＡ信号に割り当てられている。また、ＳＤＡ信号の送受信時の同期に用いられるクロック信号であるＳＣＬ(Serial Clock)信号は、ＳＣＬラインにより伝送される。ピン番号が１５であるピンは、ＳＣＬに割り当てられている。なお、上述のＤＤＣラインは、ＳＤＡラインおよびＳＣＬラインにより構成される。
【００６３】
また、ピン番号が１９であるピンは、ＨＰＤ／ＨＥＡＣ−に割り当てられている。また、ピン番号が１４であるピンは、ユーティリティ／ＨＥＡＣ＋に割り当てられている。また、ピン番号が１７であるピンは、ＤＤＣ／ＣＥＣ Ground／ＨＥＡＣ Ｓｈｉｅｌｄに割り当てられている。さらに、ピン番号が１８であるピンは、電源（＋５Ｖ Power）に割り当てられている。
【００６４】
次に、新ＨＤＭＩのピンアサイメントを説明する。この新ＨＤＭＩのピンアサイメントは、第２のピンアサイメントを構成する。図７（ｂ）は、この新ＨＤＭＩのピンアサイメントを示している。ＴＭＤＳチャネル＃ｉ（ｉ＝０〜５）の差動信号であるＴＭＤＳ  Ｄａｔａ＃ｉ＋とＴＭＤＳ  Ｄａｔａ＃ｉ−は、差動ラインである２本のラインにより伝送される。ピン（ピン番号が１，４，７，１０，２，８のピン）はＴＭＤＳ  Ｄａｔａ＃ｉ＋に割り当てられ、ピン（ピン番号が３，６，９，１２，５，１１のピン）はＴＭＤＳ  Ｄａｔａ＃ｉ−に割り当てられている。
【００６５】
また、制御用のデータであるＣＥＣ信号は、ＣＥＣラインにより伝送される。ピン番号が１３であるピンは、ＣＥＣ信号に割り当てられている。また、Ｅ−ＥＤＩＤ等のＳＤＡ(Serial Data)信号は、ＳＤＡラインにより伝送される。ピン番号が１６であるピンは、ＳＤＡ信号に割り当てられている。また、ＳＤＡ信号の送受信時の同期に用いられるクロック信号であるＳＣＬ(Serial Clock)信号は、ＳＣＬラインにより伝送される。ピン番号が１５であるピンは、ＳＣＬに割り当てられている。なお、上述のＤＤＣラインは、ＳＤＡラインおよびＳＣＬラインにより構成される。
【００６６】
また、ピン番号が１９であるピンは、ＨＰＤ／ＨＥＡＣ−に割り当てられている。また、ピン番号が１４であるピンは、ユーティリティ／ＨＥＡＣ＋に割り当てられている。また、ピン番号が１７であるピンは、ＤＤＣ／ＣＥＣ Ground／ＨＥＡＣ Ｓｈｉｅｌｄに割り当てられている。さらに、ピン番号が１８であるピンは、電源（＋５Ｖ Power）に割り当てられている。
【００６７】
上述したように、新ＨＤＭＩピンアサイメント（図７（ｂ）参照）では、現行ＨＤＭＩピンアサイメント（図７(ａ)参照）でシールド端子として用いられている端子（ピン番号が２，５，８，１１のピン）が、データ端子として用いられている。また、新ＨＤＭＩピンアサイメントでは、現行ＨＤＭＩピンアサイメントでクロック信号の差動信号の信号端子として用いられている端子（ピン番号が１０，１２のピン）が、データ端子として用いられている。
【００６８】
ソース機器１１０のデータ送信部１１２は、現行ＨＤＭＩの動作モードで動作するとき、図７（ａ）に示す現行ＨＤＭＩピンアサイメントを選択し、新ＨＤＭＩの動作モードで動作するとき、図７（ｂ）に示す新ＨＤＭＩピンアサイメントを選択する。なお、上述ではソース機器１１０のレセプタクル１１１のピンアサイメントを説明した。詳細説明は省略するが、シンク機器１２０のデータ受信部１２２が現行ＨＤＭＩおよび新ＨＤＭＩの双方に対応している場合におけるシンク機器１２０のレセプタクル１２１のピンアサイメントに関しても同様である。
【００６９】
図８（ａ），（ｂ）は、ソース機器１１０のレセプタクル１１１のピン配置を示している。図８（ａ）は現行ＨＤＭＩのピン配置を示し、図８（ｂ）は新ＨＤＭＩのピン配置を示している。なお、レセプタクル１１１のピンアサイメントとして現行ＨＤＭＩピンアサイメントが選択されるとき、ピン番号が２，５，８，１１のピンは、ソース機器１１０及びシンク機器１２０にて、接地状態、あるいはシンク機器１２０にて接地状態、ソース機器１１０にてハイインピーダンス状態、あるいはシンク機器１２０にてハイインピーダンス状態、ソース機器１１０にて接地状態とされる。なお、詳細説明は省略するが、シンク機器１２０のデータ受信部１２２が現行ＨＤＭＩおよび新ＨＤＭＩの双方に対応している場合におけるシンク機器１２０のレセプタクル１２１のピン配置に関しても同様である。
【００７０】
図９（ａ）は、ケーブル２００として使用される現行ＨＤＭＩケーブルの構造例を示している。この現行ＨＤＭＩケーブルは、３つのデータラインペアがそれぞれ特性を得るためにシールドツイストペア部として構成されている。また、クロックラインペアと、ＨＥＡＣ機能のためにユーティリティおよびＨＰＤのラインペアも、シールドツイストペア部として構成されている。
【００７１】
図９（ｂ）は、シールドツイストペア部の構造例を示している。このシールドツイストペア部は、２本の電線３と、ドレイン線４とが、シールド部材５で覆われた構造となっている。なお、電線３は、芯線１が被覆部２により覆われて構成されている。
【００７２】
現行ＨＤＭＩケーブルでは、データおよびクロックの各シールドツイストペア部を構成するドレイン線は、このケーブルの端部に取りつけられたプラグのピンに接続されている。この場合、各ドレイン線は、上述したレセプタクル（現行ＨＤＭＩのピン配置）の各シールド端子（ピン番号が２，５，８，１１のシールド用ピン）に対応したピン（端子）に接続されている。これらのシールド端子はソース機器１１０及びシンク機器１２０において接地される。これにより、データおよびクロックの各シールドツイストペア部を構成するドレイン線は、プラグがレセプタクル（現行ＨＤＭＩのピン配置）に接続された状態では接地された状態となる。
【００７３】
図１０は、ケーブル２００として使用される新ＨＤＭＩケーブルの構造例を示している。この新ＨＤＭＩケーブルは、６つのデータラインペアがそれぞれ特性を得るためにシールドツイストペア部として構成されている。また、ＨＥＡＣ機能のためにユーティリティおよびＨＰＤのラインペアも、シールドツイストペア部として構成されている。
【００７４】
新ＨＤＭＩケーブルは、現行ＨＤＭＩケーブル（図９（ａ）参照）に比べて、接続すべき個々の銅線の数が増えている。この新ＨＤＭＩケーブルでは、ケーブルの両端のプラグの専用ピンにて接続されていた各シールドツイストペア部を構成するドレイン線は、プラグの金属製のシェルに接続される。これにより、シールド用ピンが開放され、プラグの必要ピン数の増加が回避され、新ＨＤＭＩケーブルにおけるプラグは、現行ＨＤＭＩケーブルのプラグと同様のものとされている。このように、各シールドツイストペア部を構成するドレイン線がプラグの金属製のシェルに接続されるものにあっては、プラグが差し込まれるレセプタクルのシェルが接地レベルと接続されていることにより、差動ペアラインのシールドを確保することができる。
【００７５】
図１１は、ケーブル２００として使用される新ＨＤＭＩケーブルの他の構造例を示している。この新ＨＤＭＩケーブルは、断面形状を平たくしたことを除き、実質的な構造は、上述の図１０に示す新ＨＤＭＩケーブルと同様である。なお、このように断面形状を平たくすることで、断面積を小さくでき、また、インピーダンス整合を取りやすくなることが知られている。
【００７６】
［現行ＨＤＭＩと新ＨＤＭＩの動作モード制御］
次に、ソース機器１１０の制御部１１３の動作モード制御についてさらに説明する。上述したように、制御部１１３は、ケーブル２００が新ＨＤＭＩに対応し、かつシンク機器１２０が新ＨＤＭＩに対応していると判断する場合、データ送信部１１２を新ＨＤＭＩの動作モードに制御する。また、制御部１１３は、それ以外の場合、データ送信部１１２を現行ＨＤＭＩの動作モードに制御する。
【００７７】
図１２のフローチャートは、制御部１１３の動作モード制御の処理手順を示している。制御部１１３は、ステップＳＴ１において、処理を開始し、その後に、ステップＳＴ２の処理に移る。このステップＳＴ２において、制御部１１３は、ソース機器１１０、つまりデータ送信部１１２が新ＨＤＭＩに対応しているか否かを判断する。制御部１１３は、自身が存在するソース機器１１０（データ送信部１１２）の能力情報を予め備えていることから、この判断に関しては容易に行うことができる。なお、この実施の形態において、ソース機器１１０は新ＨＤＭＩに対応していることが明らかであるので、制御部１１３は、このステップＳＴ２の判断処理を省略してもよい。
【００７８】
ソース機器１１０が新ＨＤＭＩに対応していると判断するとき、制御部１１３は、ステップＳＴ３において、シンク機器１２０、つまりデータ受信部１１３が新ＨＤＭＩに対応しているか否かを判断する。この判断の詳細については、後述する。シンク機器１２０が新ＨＤＭＩに対応していると判断するとき、制御部１１３は、ステップＳＴ４の処理に移る。このステップＳＴ４において、制御部１１３は、ケーブル２００が新ＨＤＭＩに対応しているか否かを判断する。この判断の詳細については、後述する。
【００７９】
ケーブル２００が新ＨＤＭＩに対応していると判断するとき、制御部１１３は、ステップＳＴ５の処理に移る。このステップＳＴ５において、制御部１１３は、データ送信部１１２が新ＨＤＭＩの動作モードで動作するように制御する。また、ステップＳＴ２、ステップＳＴ３、ステップＳＴ４で、それぞれ、ソース機器１１０、シンク機器１２０、ケーブル２００が新ＨＤＭＩに対応していないと判断するとき、制御部１１３は、ステップＳＴ６の処理に移る。このステップＳＴ６において、制御部１１３は、データ送信部１１２が現行ＨＤＭＩの動作モードで動作するように制御する。
【００８０】
なお、制御部１１３は、例えば、ステップＳＴ３でシンク機器１２０が新ＨＤＭＩに対応していると判断したとき、最終的な動作モードの判断結果を、ケーブル２００を介して、シンク機器１２０に送信する。この判断結果の送信は、例えば、ソース機器１１０からデータ伝送前にインフォフレームなどの制御情報として送られる。シンク機器１２０においては、このソース機器１１０からの動作モードの判断結果に基づき、制御部１２３により、データ受信部１２２がソース機器１１０のデータ送信部１１２と同じ動作モードで動作するように制御される。
【００８１】
また、制御部１１３は、ステップＳＴ５でデータ送信部１１２が新ＨＤＭＩの動作モードで動作するように制御するとき、その旨を示すＵＩ画面を、例えば、図１３（ａ）に示すように、表示部（ディスプレイ）に表示するように制御してもよい。このＵＩ画面により、ユーザは、ソース機器１１０とシンク機器１２０とが新ＨＤＭＩで接続されたことを、容易に把握できる。なお、ＵＩ画面が表示される表示部（ディスプレイ）は、ソース機器１１０に設けられた図示しない表示部（ディスプレイ）、あるいは、シンク機器１２０に設けられた図示しない表示部（ディスプレイ）である。これは、以下の各ＵＩ表示に関しても同様である。
【００８２】
また、制御部１１３は、ステップＳＴ４でケーブル２００が新ＨＤＭＩに対応していないと判断し、ステップＳＴ６の処理に移るとき、その旨を示すＵＩ画面を、例えば、図１３（ｃ）に示すように、表示部（ディスプレイ）に表示するように制御してもよい。このＵＩ画面により、ユーザは、ソース機器１１０とシンク機器１２０とが新ＨＤＭＩに対応しているが、ケーブル２００だけが新ＨＤＭＩに対応していないことを容易に認識でき、ケーブル２００を新ＨＤＭＩケーブルに取り替える等の対策を取ることができる。
【００８３】
また、図１２のフローチャートの処理手順では、制御部１１３は、ステップＳＴ４でケーブル２００が新ＨＤＭＩに対応していると判断するとき、直ちに、ステップＳＴ５に進み、データ送信部１１２が新ＨＤＭＩの動作モードで動作するように制御している。しかし、制御部１１３は、データ伝送前にあらかじめＣＥＣなどのラインを通じてコマンドをやり取りすることにより、ステップＳＴ４でケーブル２００が新ＨＤＭＩに対応していると判断するとき、ユーザに、新ＨＤＭＩあるいは現行ＨＤＭＩ（従来ＨＤＭＩ）のいずれかを選択させるようにしてもよい。
【００８４】
その場合、制御部１１３は、そのためのＵＩ画面を、例えば、図１３（ｂ）に示すように、表示部（ディスプレイ）に表示するように制御する。ユーザは、このＵＩ画面に基づいて、新ＨＤＭＩあるいは現行ＨＤＭＩのいずれかを選択する。図１３（ｂ）は、「新ＨＤＭＩ」が選択されている状態を示している。制御部１１３は、ユーザの選択に応じて、データ送信部１１２が新ＨＤＭＩあるいは現行ＨＤＭＩの動作モードで動作するように制御する。
【００８５】
図１４のフローチャートは、その場合における制御部１１３の動作モード制御の処理手順を示している。この図１４において、図１２と対応する部分には同一符号を付し、その詳細説明は省略する。制御部１１３は、ステップＳＴ４でケーブル２００が新ＨＤＭＩに対応していると判断するとき、ステップＳＴ７の処理に進む。このステップＳＴ７において、制御部１１３は、新ＨＤＭＩあるいは現行ＨＤＭＩのいずれかを選択するためのＵＩ画面を表示部（ディスプレイ）に表示するように制御する。このＵＩの表示はソース機器１１０が伝送路２００を通じてビデオ信号として伝送してもよいし、シンク機器１２０が自身で表示するよう指示してもよい。
【００８６】
その後、制御部１１３は、ステップＳＴ８の処理に移る。このステップＳＴ８において、ユーザのリモコンなどによる操作を制御部１２３はＣＥＣなどのラインを通じて通知することにより、制御部１１３は、ユーザが新ＨＤＭＩあるいは現行ＨＤＭＩのいずれを選択したかを判断する。ユーザが新ＨＤＭＩを選択したとき、制御部１１３は、ステップＳＴ５において、データ送信部１１２が新ＨＤＭＩの動作モードで動作するように制御する。一方、ユーザが現行ＨＤＭＩを選択したとき、制御部１１３は、ステップＳＴ６において、データ送信部１１２が現行ＨＤＭＩ（従来ＨＤＭＩ）の動作モードで動作するように制御する。
【００８７】
「シンク機器の新ＨＤＭＩへの対応判断」
制御部１１３における、シンク機器１２０が新ＨＤＭＩに対応しているか否かの判断の方法について説明する。この判断方法としては、例えば、以下の第１の判断方法および第２の判断方法がある。
【００８８】
「第１の判断方法」
制御部１１３は、シンク機器１２０からケーブル２００のＤＤＣライン（ＳＤＡラインおよびＳＣＬライン）を用いて読み出したＥＤＩＤに基づいて、シンク機器１２０が新ＨＤＭＩに対応しているか否かの判断を行う。ＥＤＩＤ自体は、フォーマット上で規定されたデータ構造になっている。このＥＤＩＤの所定の場所に、新たに、シンク機器１２０が新ＨＤＭＩ（新しい伝送）に対応しているか否かを示すフラグ情報が新たに定義されるとする。
【００８９】
図１５は、ＥＤＩＤ上に新たに定義されるフラグ情報の例を示している。本来、ＥＤＩＤは様々なシンク機器１２０の能力を示すデータ構造体である。図１５は、説明の簡単化のために、ＥＤＩＤの、この発明に関係するバイトのみを示し、最低限に簡素化している。第２ビットに、シンク機器１２０が新ＨＤＭＩに対応しているか否かを示す１ビットのフラグ情報“New Rx Sink”が記載されている。また、第１ビットに、ケーブル２００が新ＨＤＭＩに対応しているか否かを示す１ビットのフラグ情報“New Cable”が新たに定義される。
【００９０】
制御部１１３は、シンク機器１２２から読み出したＥＤＩＤに、上述の１ビットのフラグ情報“New Rx Sink”が存在するとき、シンク機器１２０が新ＨＤＭＩに対応していると判断する。すなわち、シンク機器１２０が現行ＨＤＭＩにのみ対応している場合、シンク機器１２２から読み出したＥＤＩＤに、上述の１ビットのフラグ情報“New Rx Sink”は存在しない。
【００９１】
「第２の判断方法」
制御部１１３は、シンク機器１２０との間で、ケーブル２００を通じて通信を行うことで、シンク機器１２０が新ＨＤＭＩに対応しているか否かの判断を行う。例えば、制御部１１３は、ＣＥＣラインを用いて、コマンドベースで、シンク機器１２０が新ＨＤＭＩに対応しているか否かを確認する。
【００９２】
また、例えば、制御部１１３は、ユーティリティラインおよびＨＰＤラインで構成される双方向通信路（ＨＥＡＣ機能）を用いてシンク機器１２０との間で通信を行って、シンク機器１２０が新ＨＤＭＩに対応しているか否かを確認する。さらに、例えば、制御部１１３は、伝送が有効になるまでは未使用のライン、例えばユーティリティラインなどを用いて、なんらかの信号のやり取りを行って、シンク機器１２０が新ＨＤＭＩに対応しているか否かを確認する。
【００９３】
「ケーブルの新ＨＤＭＩへの対応判断」
次に、制御部１１３における、ケーブル２００が新ＨＤＭＩに対応しているか否かの判断の方法について説明する。この判断方法には、例えば、以下の第１〜第４の判断方法がある。第１〜第３の判断方法は、ケーブル２００が新ＨＤＭＩケーブルであるとき、このケーブル２００が持つ情報提供機能を用いて行う判断方法である。
【００９４】
「第１の判断方法」
この第１の判断方法の場合、図１６に示すように、新ＨＤＭＩケーブルには、例えばプラグに、ＬＳＩ（Large Scale Integration）が内蔵されている。例えば、ソース機器１１０から＋５Ｖが供給されている状態で、シンク機器１２０は、ＨＰＤをＬに落としている間にＣＥＣプロトコルにより、このＬＳＩに、出力を要求する。なお、この場合のシンク機器１２０は、新ＨＤＭＩに対応しているシンク機器である。ＬＳＩは、シンク機器１２０からの出力要求に応じて、このＬＳＩ内に実装されるレジスタ値（新ＨＤＭＩ対応である旨、および伝送可能なデータ帯域などのケーブル特性データ）を、シンク機器１２０に、ＣＥＣプロトコルで報告する。
【００９５】
シンク機器１２０は、ＬＳＩから報告された情報を自身のＥＤＩＤに追記する。シンク機器１２０は、この追記の後に、ＨＰＤをＨにすることで、ソース機器１１０にＥＤＩＤの読み出しを指示する。制御部１１３は、シンク機器１２０から読み出したＥＤＩＤに基づいて、ケーブル２００が新ＨＤＭＩに対応しているか否かの判断を行う。すなわち、制御部１１３は、ケーブル２００が新ＨＤＭＩ対応である旨などの情報が含まれているとき、ケーブル２００が新ＨＤＭＩに対応していると判断する。
【００９６】
なお、上述では、シンク機器１２０がＣＥＣプロトコルによりＬＳＩに出力を要求するように説明した。しかし、ソース機器１１０自体が、ＣＥＣプロトコルによりＬＳＩに出力を要求し、ＬＳＩからレジスタ値（新ＨＤＭＩ対応である旨、および伝送可能なデータ帯域などのケーブル特性データ）の報告を直接受けるようにすることも考えられる。
【００９７】
「第２の判断方法」
この第２の判断方法の場合にも、図１６に示すように、新ＨＤＭＩケーブルには、例えばプラグに、ＬＳＩが内蔵されている。ソース機器１１０は、例えばＨＰＤがＬからＨに変化するタイミングで、シンク機器１２０から、その能力を示すＥＤＩＤを読み出して取得する。この場合、ＥＤＩＤは、ＳＤＡ／ＳＣＬのラインを使い、シンク機器１２０のＥＥＰＲＯＭ内に書かれているデータをシリアル伝送することにより、ソース側に通知される。
【００９８】
ＬＳＩは、ＥＤＩＤ伝送中に、ＥＤＩＤ情報が伝送されるライン、つまりＳＤＡ／ＳＣＬの信号を観察する。そして、ＬＳＩは、ケーブル２００が新ＨＤＭＩに対応しているか否かを示すフラグ情報(図１５の所定バイトの第１ビット)が伝送される際に、そのビット値を、ケーブル２００が新ＨＤＭＩに対応している状態、つまりフラグが立っている状態に変更する。つまり、シンク機器１２０のＥＤＩＤＲＯＭ（ＥＥＰＲＯＭ）上のデータは“０００００１００”であるが、伝送中にケーブル内のＬＳＩがデータを書換え、ソース機器１１０が受信する際には“０００００１１０”となる。
【００９９】
制御部１１３は、シンク機器１２０から読み出したＥＤＩＤに基づいて、ケーブル２００が新ＨＤＭＩに対応しているか否かの判断を行う。すなわち、制御部１１３は、ケーブル２００が新ＨＤＭＩに対応しているか否かを示すフラグ情報(図１５の所定バイトの第１ビット)が、新ＨＤＭＩに対応している状態になっているとき、ケーブル２００が新ＨＤＭＩに対応していると判断する。
【０１００】
図１７は、ケーブル内ＬＳＩのＥＤＩＤデータ書換え回路の一例を示している。このＬＳＩは、ＳＣＬライン上のクロックをカウントするカウンタと、このカウンタのカウント値に基づいて、ＳＤＡライン上のデータを書き換えるドライバを有している。
【０１０１】
「第３の判断方法」
この第３の判断方法の場合、図１８に示すように、新ＨＤＭＩケーブルには、例えばプラグに、新ＨＤＭＩ対応である旨、および伝送可能なデータ帯域などの情報を記憶したＲＦタグチップ（ＬＳＩ）が内蔵されている。また、ソース機器１１０のレセプタクル１１１に、ＲＦタグ読出しチップ（ＬＳＩ）が内蔵される。この場合、セプタクル１１１のＲＦタグ読出しチップとプラグのＲＦタグチップとの間で近距離無線通信が行われ、ＲＦタグチップに記憶されている情報が、ＲＦタグ読出しチップにより読み出される。
【０１０２】
制御部１１３は、ＲＦタグ読出しチップにより読み出される情報に基づいて、ケーブル２００が新ＨＤＭＩに対応しているか否かの判断を行う。すなわち、制御部１１３は、ＲＦタグ読出しチップによりケーブル２００が新ＨＤＭＩ対応である旨などの情報が読み出されるとき、ケーブル２００が新ＨＤＭＩに対応していると判断する。
【０１０３】
なお、上述では、ソース機器１１０のセプタクル１１１のＲＦタグ読出しチップとプラグのＲＦタグチップとの間で近距離無線通信が行われ、ＲＦタグチップに記憶されている情報がソース機器１１０側で読み出されるように説明した。しかし、例えば、シンク機器１２０のセプタクル１２１のＲＦタグ読出しチップとプラグのＲＦタグチップとの間で近距離無線通信が行われ、ＲＦタグチップに記憶されている情報がシンク機器１２０側で読み出され、その情報がその後に、ソース機器１１０側に提供される構成とすることも考えられる。
【０１０４】
「第４の判断方法」
この第４の判断方法の場合、制御部１１３は、ケーブル２００の電気的特性の測定を行うことで、ケーブル２００が新ＨＤＭＩに対応しているか否かを判断する。図１９に示すように、ソース機器１１０の制御部１１３は、ピン２とピン５に対して測定・検出用のテスト信号（デジタル信号）を発信し、シンク機器１２０の制御部１２３がその信号を受信する。なお、現行ＨＤＭＩケーブルではピン２とピン５に接続される一対の信号線は差動信号の送信路を構成していないが、新ＨＤＭＩケーブルではピン２とピン５に接続される一対の信号線は差動信号の送信路を構成している（図７（ａ），（ｂ）参照）。
【０１０５】
シンク機器１２０の制御部１２３は、受信したデジタル信号を、他の経路（例えば、ＳＣＬ／ＳＤＡで示されるＨＤＭＩのＤＤＣライン、あるいはＣＥＣラインやユーティリティラインなど）を通じて、ソース機器１１０側に通知する。ソース機器１１０の制御部１１３は、シンク機器１２０から通知されたデジタル信号が、自身が送信したデジタル信号との一致を確認することで、ケーブル２００が新ＨＤＭＩに対応しているか否かを判断する。すなわち、制御部１１３は、受信デジタル信号が送信デジタル信号と一致するとき、ケーブル２００は新ＨＤＭＩに対応していると判断する。
【０１０６】
図２０（ａ）に示すように、ケーブル２００が現行ＨＤＭＩケーブルである場合、ピン２とピン５に接続される一対の信号線は、シールドツイストペア線となっていない。そのため、ケーブル２００が現行ＨＤＭＩに対応しているとの判断には、“高速のテスト信号は伝達することができない”ということが利用される。この際、ピン２と関連するピン１またはピン３に、ピン２とは関係ない信号を印加することにより、その干渉を利用することも可能である。この干渉により、高速のテスト信号はより伝達しがたくなる。
【０１０７】
一方、図２０（ｂ）に示すように、ケーブル２００が新ＨＤＭＩケーブルである場合、ピン２とピン５に接続される一対の信号線は、シールドツイストペア線となる。そのため、ケーブル２００が新ＨＤＭＩケーブルに対応しているとの判断には、“高速のテスト信号は伝達することができる”ということが利用される。この際、ピン１またはピン３に、ピン２とは関係ない信号が印加されていたとしても、それらは独立してシールド処理が施されており、印加された信号とピン２が干渉することはなく、テスト信号の伝達に影響することはない。
【０１０８】
ここで、テスト信号は、例えば、ソース機器１１０が出力可能な最速のデータ、かつビットエラーレートとしてＨＤＭＩが保障する１０−９を評価できるだけの十分長いランダムなデータとされる。なお、シンク機器１２０には通常ビデオ再生のためのフレームバッファメモリが内蔵されているので、この伝送テスト専用のメモリは必要ではないかもしれない。
【０１０９】
なお、上述の説明では、制御部１１３は、受信デジタル信号が送信デジタル信号と一致するときだけケーブル２００が新ＨＤＭＩに対応していると判断するとした。制御部１１３は、データの転送速度を遅くして同様のテストを行い、一致するまで上述の判断プロセスを繰り返すことにより、ケーブルの性能を確定し、新ＨＤＭＩに対応していると判断するが、その伝送スピード内で実行可能なだけの伝送を行うようにしてもよい。この場合には、現行ＨＤＭＩケーブルも、新ＨＤＭＩに対応していると判断される可能性がある。
【０１１０】
また、上述の説明では、ピン２とピン５を用いている。しかし、これらのピンの代わりに、現行ＨＤＭＩケーブルと新ＨＤＭＩケーブルと間でこれらのピンと同様の関係にあるピン８とピン１１を用いてもよい。すなわち、現行ＨＤＭＩケーブルではピン８とピン１１に接続される一対の信号線は差動信号の送信路を構成していないが、新ＨＤＭＩケーブルではピン８とピン１１に接続される一対の信号線は差動信号の送信路を構成している（図７（ａ），（ｂ）参照）。
【０１１１】
また、上述の説明では、ソース機器１１０がシンク機器に送ったデジタル信号（テスト信号）を、それを受信したシンク機器１２０がソース機器１１０に通知し、その正否をソース機器１１０側で判断するものを示した。しかし、デジタル信号（テスト信号）として予め決まったパターンを伝送することにより、シンク機器１２０が、受信デジタル信号の正否の判定を行って、その結果のみＣＥＣなどのラインを通じてソース機器１１０に通知してもよいし、自身のＥ−ＥＤＩＤにその情報を追記してもよい。
【０１１２】
上述したように、図２に示すデジタルインタフェース２０においては、ソース機器１１０のデータ送信部１１２は現行ＨＤＭＩの動作モードの他に、新ＨＤＭＩモードの動作モードを有するものとされている。ここで、ビデオデータ等のデジタル信号を伝送するための差動信号チャネルは、現行ＨＤＭＩにおいては３チャネルであるが、新ＨＤＭＩにおいては６チャネルである。そのため、新ＨＤＭＩが用いられることで、高いデータレートでの信号伝送が可能となる。また、シンク機器１２０、ケーブル２００が新ＨＤＭＩに対応していないとき、現行ＨＤＭＩ（従来ＨＤＭＩ）が用いられることで、後方互換性が確保される。
【０１１３】
なお、上述においては、新ＨＤＭＩケーブルのプラグの形状が、現行ＨＤＭＩケーブル（従来ＨＤＭＩケーブル）のプラグの形状と同じであるものを示した。しかし、新ＨＤＭＩケーブルのプラグの形状を、現行ＨＤＭＩケーブルのプラグの形状を異ならせ、ソース機器およびシンク機器の一方が新ＨＤＭＩに対応していないとき、これらが新ＨＤＭＩケーブルで接続されないようにすることもできる。
【０１１４】
図２１（ａ）は現行ＨＤＭＩケーブルのプラグの形状を示し、図２１（ｂ）は現行ＨＤＭＩのみに対応したソース機器やシンク機器のレセプタクルの形状を示している。これに対して、図２１（ｃ）は新ＨＤＭＩケーブルのプラグの形状を示し、図２１（ｄ）は新ＨＤＭＩに対応したソース機器やシンク機器のレセプタクルの形状の一例を示している。なお、図２２（ａ）は現行ＨＤＭＩケーブルのプラグの斜視図であり、図２２（ｂ）は新ＨＤＭＩケーブルのプラグの斜視図を示している。
【０１１５】
新ＨＤＭＩケーブルのプラグには凸部（矢印Ｐで指し示している）が設けられている。そして、新ＨＤＭＩに対応したソース機器やシンク機器のレセプタクルには、プラグの凸部に対応した凹部（矢印Ｑで指し示している）が設けられている。この場合、新ＨＤＭＩに対応したソース機器やシンク機器のレセプタクルの形状は、新ＨＤＭＩケーブルのプラグの形状に合致し、現行ＨＤＭＩケーブルのプラグの形状を包含するようにされている。
【０１１６】
新ＨＤＭＩケーブルのプラグの形状および新ＨＤＭＩに対応したソース機器やシンク機器のレセプタクルの形状を上述のように設定することで、新ＨＤＭＩケーブルは、新ＨＤＭＩに対応したソース機器やシンク機器のレセプタクルに接続できる。しかし、新ＨＤＭＩケーブルは、現行ＨＤＭＩにのみ対応したソース機器やシンク機器のレセプタクルには接続できなくなる。これにより、ソース機器およびシンク機器の一方が新ＨＤＭＩに対応していないとき、これらが新ＨＤＭＩケーブルで接続されるということはなくなる。つまり、ソース機器およびシンク機器の双方が新ＨＤＭＩに対応しているときのみ、新ＨＤＭＩケーブルにより、これらの接続が可能となる。
【０１１７】
上述したように、新ＨＤＭＩにも対応したソース機器やシンク機器のレセプタクルの形状は、新ＨＤＭＩケーブルのプラグの形状に合致し、現行ＨＤＭＩケーブルのプラグの形状を包含するようにされている。そのため、現行ＨＤＭＩケーブルは、現行ＨＤＭＩにのみ対応したソース機器やシンク機器のレセプタクルだけでなく、新ＨＤＭＩに対応したソース機器やシンク機器のレセプタクルにも接続できる。
【０１１８】
また、上述において、現行ＨＤＭＩにおけるビデオデータ等のデジタル信号を伝送するための差動信号チャネルが３チャネルであるのに対して、新ＨＤＭＩとしてその差動信号チャネルが６チャネルであるものを示した。しかし、ビデオデータ等のデジタル信号を伝送するための差動信号チャネルの数は６チャネルに限定されるものではなく、４チャネル、５チャネル、さらには７チャネル等も考えられる。例えば、ビデオデータ等のデジタル信号を伝送するための差動信号チャネルを５チャネルとし、クロック周波数を１．２倍程度に高速化することで、６チャネルにした場合と同等のデータ転送速度を得ることが可能となる。
【０１１９】
［シンク機器とシンク機器との間のデジタルインタフェース］
次に、シンク機器としてのテレビ受信機１１とシンク機器としてのテレビ１２との間のデジタルインタフェース３０について説明する。図２３は、デジタルインタフェース３０の構成例を示している。
【０１２０】
シンク機器１３０およびシンク機器１４０は、ケーブル３００を介して接続されている。シンク機器１３０には、データ送受信部１３２が接続された、コネクタを構成するレセプタクル１３１が設けられている。シンク機器１４０には、データ送受信部１４２が接続された、コネクタを構成するレセプタクル１４１が設けられている。また、ケーブル３００の一端にはコネクタを構成するプラグ３０１が設けられ、その他端にはコネクタを構成するプラグ３０２が設けられている。ケーブル３００の一端のプラグ３０１はシンク機器１３０のレセプタクル１３１に接続され、このケーブル３００の他端のプラグ３０２はシンク機器１４０のレセプタクル１４１に接続されている。
【０１２１】
ケーブル３００には、複数、この実施の形態では、Data0〜Data5の６本の差動信号レーン（ビデオ伝送レーン）が用意されており、シンク機器１３０とシンク機器１４０との間でビデオ信号等のデジタル信号の双方向伝送が可能とされている。この場合、シンク機器１３０とシンク機器１４０との間で、例えば図６に示すような構造の伝送データが伝送される。６本の差動信号レーンは、上述した新ＨＤＭＩの６つのＴＭＤＳチャネル＃０〜＃５に対応した差動信号ラインと同様の構造とされ、それぞれ、シールドツイストペア部として構成される（図１０参照）。
【０１２２】
個々の差動信号レーンは、例えば、３．４Ｇｂｐｓなどの最大伝送レートを持ち、それ以上の伝送を必要とする際には複数の差動信号レーンを使用するような構成になることにより、最大３．４×６＝２０．４Ｇｂｐｓの伝送が可能な伝送路であるとする。この場合、扱う信号をベースバンドのビデオ信号とすることにより、送信側、受信側の双方において圧縮／伸長といった処理が必要なくなる。
【０１２３】
さらに、個々の差動信号レーンは、自身にビデオのピクセルクロックに同期した伝送クロックが重畳され、受信側でそれを再生することにより、個々の差動信号レーンで独立して受信側でビデオ信号を再生可能であるとする。ただし、迅速に正確なデータ受信可能なクロックを生成するために、予め、その搬送クロックの周波数をリファレンスとして送信側から受信側へ通知するものとする。
【０１２４】
ケーブル３００には、双方向通信ラインが用意されており、シンク機器１３０とシンク機器１４０との間で双方向の通信が可能とされている。この双方向通信ラインは、例えば、ＨＤＭＩのＣＥＣラインと同等の双方向制御ライン、あるいは、双方向差動通信ラインとして構成される。
【０１２５】
シンク機器１３０は、制御部１３３を有している。この制御部１３３は、シンク機器１３０の全体を制御する。また、シンク機器１４０は、制御部１４３を有している。この制御部１４３は、シンク機器１４０の全体を制御する。シンク機器１３０，１４０の間でビデオ信号等のデジタル信号を伝送する際、制御部１３３，１４３の間で双方向通信ラインを利用して通信が行われ、必要であれば他方を起動し、使用レーン数、使用レーン番号、伝送方向、搬送クロック周波数などの伝送路構成が互いに確認されて決定される。そして、制御部１３３，１４３により、それぞれ、データ送受信部１３２，１４２の構成が制御される。
【０１２６】
図２３に示すデジタルインタフェース３０において、シンク機器１３０，１４０は、上述したように、ビデオの送信、受信の両方の機能を持ち、個々の差動信号レーン（ビデオ伝送レーン）は双方向伝送に対応している。シンク機器１３０，１４０の間の伝送路は、予め、双方で、使用レーン、伝送方向、搬送クロック周波数などが確認されて決定されることにより、構成される。
【０１２７】
例えば、送信を要求する送信機は、受信機に対して、例えば、上述した双方向通信ライン通じて、必要であれば他方を起動し、使用レーン、搬送クロック周波数などの情報を通知する。例えば、送信機は、現在の双方を接続する伝送路の状況を見た上で、例えば４．４Ｇｂｐｓのビデオ信号を伝送する際には、差動データレーンData０，１を用いて、搬送クロック２．２ＧＨｚでビデオを伝送する旨、受信機に通知する。コマンドを受信した受信機は自身の伝送路の構成を送信機の所望する構成へと変形し、搬送クロックのリファレンスクロックを送信機指定のものに設定する。
【０１２８】
そして、受信機は、自身の構成が完了した旨、上述した双方向通信ライン通じて、送信機へ通知する。受信機の伝送路の構成が完了した旨を認知した送信機はビデオ信号の伝送を開始する。その際、同時に自身が送信しているビデオフォーマットの形式を、最初に、例えばビデオのブランキング区間にてＩｎｆｏＦｒａｍｅなどを送信することにより、通知し、受信機が正しく伝送されたビデオを再生できるようにする。
【０１２９】
図２４のシーケンス図は、シンク機器１３０，１４０の一方から他方にビデオ信号等のデジタル信号を送信する際の制御部１３３，１４３の制御シーケンス例を示している。ここでは、デジタル信号を送信する側を送信機とし、デジタル信号を受信する側を受信機としている。
【０１３０】
送信機の制御部は、伝送路状況を確認し、ビデオレートに従って使用レーン（レーン数、レーン番号）および搬送クロック周波数などの伝送路構成を決定する（シーケンス（１））。なお、この伝送路構成には、伝送方向も含まれるが、ここでは、送信機から受信機の方向に決まる。また、搬送クロック周波数については、固定である場合には、決定する必要はない。
【０１３１】
次に、送信機の制御部は、必要であれば、双方通信ラインを通じて受信機の制御部に制御信号を送って、受信機を起動する（シーケンス（２））。そして、送信機の制御部は、双方向通信ラインを介して、受信機の制御部に使用レーンおよび搬送クロック周波数を通知し、伝送（送信）を要求する（シーケンス（３））。
【０１３２】
次に、受信機の制御部は、要求に応じた伝送路が構成されるように、データ送受信部の伝送路構成を制御し、また、搬送クロック抽出のためのリファレンスクロックの周波数を設定する（シーケンス（４））。この場合、リファレンスクロックの周波数は、通知された搬送クロック周波数に一致したものとされる。後述するが、送信機から受信機に送信されてくるデジタル信号には搬送クロックが重畳されおり、受信機側ではこのデジタル信号から搬送クロックを抽出し、抽出された搬送クロックを用いて受信処理を行う。このようにリファレンスクロックの周波数が予め搬送クロック周波数に一致したものとされることで、デジタル信号からの搬送クロックの抽出を迅速に行うことが可能となる。
【０１３３】
次に、受信機の制御部は、データ送受信部の伝送路構成の変更が完了した旨を、双方通信ラインを通じて受信機の制御部に報告する（シーケンス（５））。ただし、受信機の制御部は、構成変更が不可な場合にはその旨を報告する。この場合、図示していないが、送信機の制御部は、受信機の制御部からの報告に基づいて、使用レーンおよび搬送クロック周波数などの伝送路構成を再決定し、上述のシーケンスを繰り返す場合もある。
【０１３４】
送信機の制御部は、データ送受信部の伝送路構成の変更が完了した旨の報告を受けた後、自身のデータ送受信部の伝送路構成を同様に変更し、その後に、使用レーンを利用して、デジタル信号の伝送を開始する（シーケンス（６））。
【０１３５】
なお、例えば、送信機が受信機にデジタル信号を送信する際、このデジタル信号の送信を開始する前に、その使用レーンを利用して、受信機に、このデジタル信号に重畳されている搬送クロックに同期したリファレンスクロックが送信されるようにしてもよい。これにより、受信側がこのリファレンスクロックに同期した状態となってから実際の送信デジタル信号を送信でき、受信側において正確なデジタル信号受信が可能となる。
【０１３６】
また、例えば、送信機は、受信機に上述したようにリファレンスクロックを送信し、受信機から双方向通信ラインを通じて送信クロックに同期したことの通知があった後に、デジタル信号の送信を開始するようにしてもよい。これにより、受信側がこのリファレンスクロックに完全に同期した状態となってから実際の送信デジタル信号を送信でき、受信側においてより正確なデジタル信号受信が可能となる。
【０１３７】
また、例えば、送信機が受信機にデジタル信号を送信する際、このデジタル信号の無効データ区間或いは制御データ送信区間などに搬送クロックの抽出を容易にするような固定パターンを適宜挿入するようにしてもよい。これにより、受信側が受信した固定パターンから搬送クロックを適宜正確に抽出し、常に同期した状態を保って受信でき、受信側においてより正確なデジタル信号受信が可能となる。
【０１３８】
［データ送受信部の構成例］
図２５は、データ送受信部１５０（シンク機器１３０，１４０のデータ送受信部１３２，１４２）の構成例を示している。データ送受信部１５０は、データ送信回路１５１と、データ受信回路１５２と、６本の差動信号レーンに対応したデータチャネルインタフェース部１５３-0〜１５３-5を有している。
【０１３９】
データ送信回路１５１には、ビデオ信号等のデジタル信号である送信データと共に、ピクセルクロックが供給される。このデータ送信回路１５１は、送信データを、使用レーン数に応じてパッキング処理を施し、各レーンで送信すべきデジタル信号を生成して、データチャネルインタフェース部１５３-0〜１５３-5に供給する。
【０１４０】
データチャネルインタフェース部１５３-0〜１５３-5は、送信モードあるいは受信モードに選択的に制御される。送信モードのとき、データ送信回路１５１から供給される送信すべきデジタル信号に所定のデータコーディング、例えば８Ｂ１０Ｂ変換を施した後、搬送クロックを重畳して、対応する差動信号レーンに送出する。また、受信モードのとき、対応する差動信号レーンを通して供給されるデジタル信号から搬送クロックを抽出し、その搬送クロックに基づいてデータを取り出し、デコード処理を行って受信データを生成し、データ受信回路１５２に供給する。
【０１４１】
データ受信回路１５２は、データチャネルインタフェース部１５３-0〜１５３-5から供給されるデジタル信号に対してデパッキング処理を施し、受信データを生成して出力する。この場合、データ受信回路１５２は、デジタル信号から抽出された搬送クロックに基づいて受信データに同期したピクセルクロックも生成して出力する。
【０１４２】
データ送受信回路１５０のデータ送信回路１５１およびデータ受信回路１５２は、送信に使用される差動信号レーンと受信に使用される差動信号レーンとを異なる状態とすることで、並行した動作が可能とされている。すなわち、ビデオ信号等のデジタル信号の送信動作と、受信動作とを並行して行うことができる。
【０１４３】
図２６は、データチャネルインタフェース部１５３（１５３-0〜１５３-5）の構成例を示している。このデータチャネルインタフェース部１５３は、ＰＬＬ（Phase Locked Loop）回路１６１と、エンコーダ１６２と、Ｄラッチ回路（Ｄフリップフロップ回路）１６３と、ドライバ１６４を有している。また、このデータチャネルインタフェース部１５３は、入力アンプ１７１と、Ｄラッチ回路（Ｄフリップフロップ回路）１７２と、クロック＆データリカバリ回路１７３と、ＰＬＬ回路１７４と、デコーダ１７５を有している。
【０１４４】
エンコーダ１６２は、データストリーム（ビデオストリーム）に対して、例えば８Ｂ１０Ｂ等の受信側でクロック抽出が可能となるような所定のデータコーディングを施す。ＰＬＬ回路１６１は、データストリーム（送信データストリーム）に同期したピクセルクロックを逓倍して、搬送クロック（データ搬送用クロック）を生成する。逓倍情報は、データ送信回路１５１から通知される。
【０１４５】
Ｄラッチ回路１６３は、エンコーダ１６２の出力データストリームの各ビットを、ＰＬＬ回路１６１で生成された搬送クロックでラッチして、対応した差動信号レーンで送信すべき、搬送クロックが重畳されたデータストリームを得る。ドライバ１６４は、Ｄラッチ回路１６３で得られるデータストリームを対応した差動信号レーンに送出する。
【０１４６】
入力アンプ１７１は、対応した差動信号レーンで送られてくるデータストリームを等化、増幅する。クロック＆データリカバリ回路１７３は、入力アンプ１７１で増幅されたデータストリームから搬送クロックを抽出する。このクロック＆データリカバリ回路１７３には、送信側から通知される搬送クロック周波数の情報に基づいて、送信側からのデータ伝送前に制御部からリファレンスクロック情報が通知される。クロック＆データリカバリ回路１７３は、このリファレンスクロック情報により搬送クロック抽出のためのリファレンスクロックの周波数を設定する。
【０１４７】
Ｄラッチ回路１７２は、入力アンプ１７１で等化、増幅されたデータストリームから、クロック＆データリカバリ回路１７３で抽出された搬送クロックに同期して、データ抽出を行う。デコーダ１７５は、Ｄラッチ回路１７２で抽出された、搬送クロックに同期したデータストリームに対して、上述のエンコーダ１６２におけるデータコーディングとは逆の処理を行って、データストリーム（ビデオストリーム）を取得する。ＰＬＬ回路１７４は、クロック＆データリカバリ回路１７３で抽出された搬送クロックを分周して、ピクセルクロックを生成する。分周情報は、制御部から通知される。
【０１４８】
ドライバ１６４は、データ送信回路１５１からの送信要求によりアクティブとなる。また、入力アンプ１７１は、データ受信回路１５２からの受信要求によりアクティブとなる。すなわち、送信要求、受信要求は、伝送方向を決める。このデータチャネルインタフェース部１５３は、対応する差動信号レーンでデータ伝送が行われない場合には、ドライバ１６４および入力アンプ１７１の双方がアクティブにはならず、全体が低消費電力モードとなる。
【０１４９】
図２６に示すデータチャネルインタフェース部１５３において、送信時の動作を説明する。この場合、ドライバ１６４は送信要求によりアクティブとされる。前段のデータ送信回路１５１からＰＬＬ回路１６１にピクセルクロックが供給される。ＰＬＬ回路１６１では、ピクセルクロックが逓倍され、搬送クロック（データ搬送用クロック）が生成される。また、前段のデータ送信回路１５１からエンコーダ１６２にデータストリーム（ビデオストリーム）が供給される。このエンコーダ１６２では、所定のデータコーディングが施される。
【０１５０】
エンコーダ１６２の出力データストリームは、Ｄラッチ回路１６３に供給される。また、ＰＬＬ回路１６１で生成された搬送クロックは、Ｄラッチ回路１６３にラッチクロックとして供給される。Ｄラッチ回路１６３では、エンコーダ１６２の出力データストリームの各ビットが、搬送クロックでラッチされて、対応した差動信号レーンで送信すべき、搬送クロックが重畳されたデータストリームが得られる。このデータストリームは、ドライバ１６４を通じて、対応した差動信号レーンに送出される。
【０１５１】
図２６に示すデータチャネルインタフェース部１５３において、受信時の動作を説明する。この場合、入力アンプ１７１は受信要求によりアクティブとされる。対応した差動信号レーンで送られてくるデータストリームは入力アンプ１７１で等化、増幅された後にＤラッチ回路１７２およびクロック＆データリカバリ回路１７３に供給される。クロック＆データリカバリ回路１７３では、データストリームから搬送クロックが抽出される。
【０１５２】
クロック＆データリカバリ回路１７３で抽出された搬送クロックはＤラッチ回路１７２にラッチクロックとして供給される。Ｄラッチ回路１７２では、入力アンプ１７１から供給されるデータストリームから、搬送クロックに同期して、各ビットのデータ抽出が行われる。Ｄラッチ回路１７２の出力データストリームは、デコーダ１７５に供給される。このデコーダ１７５では、搬送クロックに同期したデータストリームに対して、デコード処理が行われて、データストリーム（受信データストリーム）が生成される。
【０１５３】
また、クロック＆データリカバリ回路１７３で抽出された搬送クロックはＰＬＬ回路１７４に供給される。ＰＬＬ回路１７４では、搬送クロックが分周されて、ピクセルクロックが生成される。デコーダ１７５で得られるデータストリーム（ビデオストリーム）およびＰＬＬ回路１７４で得られるピクセルクロックは、後段のデータ受信回路１５２に送られる。
【０１５４】
図２７は、データ送信回路１５１の構成例を示している。このデータ送信回路１５１は、データパッキング方法決定回路１８１と、各差動信号レーンに対応したデータパッキング回路１８２を有している。データパッキング方法決定回路１８１は、制御部から通知されるビデオフォーマット情報と、制御部から通知される伝送路の状況（空きレーン情報など）を用いて、使用レーン数、使用レーン番号、パッキングフォーマット、搬送クロック周波数などを決定する。また、データパッキング方法決定回路１８１は、使用レーンのデータパッキング回路１８２をアクティブにすると共に、そのレーンに対応したデータチャネルインタフェース部１５３（図２６参照）のドライバ１６４に送信要求を通知してアクティブにする。
【０１５５】
データパッキング回路１８２は、データパッキング方法決定回路１８１からの指示に基づき、入力されたデータストリーム（ビデオストリーム）のデータをリパッキングする。そして、データパッキング方法決定回路１８１で決定された所定数の使用レーンで送信される形に変形する。このデータパッキング回路１８２から、使用レーンのデータチャネルインタフェース部１５３に、データストリームおよび逓倍情報が送られる。なお、データ送信回路１５１においては、入力されたデータストリーム（ビデオストリーム）からピクセルクロックが抽出され、このピクセルクロックが、使用レーンのデータチャネルインタフェース部１５３に送られる。
【０１５６】
図２８は、データ受信回路１５２の構成例を示している。このデータ受信回路１５２は、各差動信号レーンに対応したデータデパッキング回路１８３を有している。このデータ受信回路１５２においては、制御部から通知された使用レーン情報に基づき、必要なレーンのデータデパッキング回路１８３がアクティブとされる。アクティブとされたデータデパッキング回路１８３は、前段のデータチャネルインタフェース部１５３から受信したデータストリームを、制御部から通知されるビデオパッキング情報に基づき、デパッキングを施し、データストリーム（ビデオストリーム）を生成する。このデータストリームのデータ形式は、後段が理解できる形とされる。
【０１５７】
なお、データデパッキング回路１８３は、デパッキング処理の際に取得できるビデオフォーマット情報も後段に伝える。また、このデータ受信回路１５２において、ピクセルクロックに関しては、既に前段のデータチャネルインタフェース部１５３で生成されているので、そのまま後段へ伝える。
【０１５８】
［ビデオ伝送パッキング例］
次に、ビデオ伝送パッキング例について説明する。図２９は、現行ＨＤＭＩで用いられているビデオ伝送フォーマットの例を示している。現行ＨＤＭＩでは、データレーンを３本有し、それぞれにＲＧＢ信号が割り当てられて伝送される。各ピクセルの境目（破線の縦線で図示）がピクセルクロックとなる。
【０１５９】
図３０は、本発明にて用いられる伝送を、より効率よく行うためのリパッキングの例である。この場合は、２本のデータレーンが用いられている。全体のデータレートは３．５５Ｇｂｐｓとなり、１本のデータレーンの最大伝送レートを超過しているものとする。この場合も、各ピクセルデータの境目（破線の縦線で図示）がピクセルクロックとなる。
【０１６０】
図３１は、図３０にて用いたのと同じフォーマットのビデオ信号を２ストリーム分伝送している例である。ここで、Data #0とData #1で第１のビデオ伝送が構成され、Data #2とData #3で第２のビデオ伝送が構成されている。また、それぞれは完全に独立しているので、図のように２つのビデオ伝送の方向は異なっていても構わない。さらに、ここでは２つのビデオ伝送が同じデータレートとなっているが、異なっていても構わない。さらに、Data #4とData #5はアクティブになっていないので、低消費電力モードになることが可能で余分な電力消費を抑制することになる。
【０１６１】
［部屋間接続の動作例］
次に、図１に示すＡＶシステム１０における動作例を説明する。ここでは、寝室のテレビ受信機１２の視聴者が、リビングのテレビ受信機１１に接続されているソース機器のビデオの視聴を希望した場合を考える。
【０１６２】
リビングのテレビ受信機１１は、それに接続されているソース機器のビデオ信号を、テレビ受信機１１とテレビ受信機１２との間のデジタルインタフェースを通じて、寝室のテレビ受信機１２に伝送する能力を持っているものとする。また、リビングのテレビ受信機１１は、その接続先である寝室のテレビ受信機１２の表示能力などを、例えばＨＤＭＩのＤＤＣラインに相当するような別系統のデータラインを用いて、寝室のテレビ受信機１２のＥＤＩＤなどを取得することにより、認識している必要がある。
【０１６３】
例えば、図１に示すように、テレビ受信機１１とテレビ受信機１２との接続が確立されたときに、双方はビデオ伝送路以外の経路、例えばＨＤＭＩでいうところのＤＤＣラインのような系を用いて、双方の性能を記したＥＤＩＤを交換する。なお、接続確立時に双方のテレビ受信機間でＥＤＩＤを交換して予め格納しておく代わりに、部屋間伝送を必要とする場合が発生する都度、送信側のテレビ受信機が受信側のテレビ受信機のＥＤＩＤの読出しを行ってもよい。
【０１６４】
図３２のシーケンス図を参照して動作例を説明する。なお、この図３２においては、リビングのテレビ受信機１１に接続されているソース機器としてセットトップボックス１４ａおよびＤＶＤプレーヤ１４ｂのみを示している。
【０１６５】
寝室のユーザ（視聴者）が、例えば、リビングに存在するソース機器のリストやそのコンテンツなどを表示するアプリケーション上から１つのソース機器(例えば、ＤＶＤプレーヤ１４ｂ)を選択する。この場合、ユーザはリモコン送信機などからテレビ受信機１２に接続機器リスト表示要求を送る。寝室のテレビ受信機１２は、双方向通信ラインなどを通じて、必要であれば起動し、リビングのテレビ受信機１１に接続機器リスト要求を送信する。
【０１６６】
リビングのテレビ受信機１１は、自身に接続されているソース機器に対して、アクセス選択用状態伝送要求を送る。それに対して、各ソース機器は、アクセス選択用状態データを、テレビ受信機１１に送る。テレビ受信機１１は、各ソース機器からのアクセス選択用状態データに基づいて接続機器リストデータを作成し、この接続機器リストデータを、双方向通信ラインなどを通じて、寝室のテレビ受信機１２に送信する。
【０１６７】
寝室のテレビ受信機１２は、自身に接続されているソース機器と共に、リビングのテレビ受信機１１に接続されているソース機器のリストおよびそれらの状態を、ＵＩ表示する。図３３は、そのＵＩ表示の一例を示している。この例では各機器の名称のみがリストアップされているが、より高度な選択を可能にするよう各ソース機器の再生中のコンテンツや選択中のチャンネルなどの情報が含まれていてもよい。寝室のユーザは、このＵＩ表示に基づいて、１つのソース機器を選択する。ここでは、リビングのＤＶＤプレーヤ１４ｂが選択されたものとする。
【０１６８】
寝室のテレビ受信機１２は、リビングのＤＶＤプレーヤ１４ｂに対して、再生を指示する。この場合、テレビ受信機１２は、双方向通信ラインなどを通じて、リビングのテレビ受信機１１にリビングのＤＶＤプレーヤ再生要求を送信する。このリビングのテレビ受信機１１は、自身に接続されたＤＶＤプレーヤ１４ｂをアクティブソースとして、このＤＶＤプレーヤ１４ｂに再生要求を送る。ＤＶＤプレーヤ１４ｂは、リビングのテレビ受信機１１にＥＤＩＤを要求する。
【０１６９】
リビングのテレビ受信機１１は、自身のＥＤＩＤを伝送する代わりに、先に取得しておいた寝室のテレビ受信機１２のＥＤＩＤを、ＤＶＤプレーヤ１４ｂに伝送する。ＤＶＤプレーヤ１４ｂは、自身の能力と取得したＥＤＩＤから認識した寝室のテレビ受信機１２の能力を照らして、最適な送信方法を決定する。そして、その送信フォーマットをＩｎｆｏＦｒａｍｅに格納し、デジタル映像データと共にＨＤＭＩにて、リビングのテレビ受信機１１へ伝送する。
【０１７０】
リビングのテレビ受信機１１は、自身に接続されたＤＶＤプレーヤ１４ｂから取得した伝送ビデオフォーマット等から、寝室のテレビ受信機１２との間の伝送で使用すべきレーン（レーン数、レーン番号）および搬送クロック周波数などを決定し、その情報を寝室のテレビ受信機１２に通知し、両者間の伝送インターフェースを確立する。リビングのテレビ受信機１１は、必要であれば、フォーマット変換により、ＤＶＤプレーヤ１４ｂから受信したデジタルビデオデータの形式を変更し、ケーブル１３を通じて、寝室のテレビ受信機１２にストリーム伝送する。ここで、デジタルビデオデータの形式を変更とは、例えば、上述したようにリパッキングを施し、３本の伝送レーンから２本の伝送レーンへの変更等である。
【０１７１】
以上のプロセスにより、寝室のテレビ受信機１２で、リビングのテレビ受信機１１に接続されているソース機器からのビデオ信号の受信が可能になる。これらの制御は、上述したように、双方の機器間で双方向通信ラインにてコマンドベースで実行される。
【０１７２】
なお、図３２に示すシーケンスにおいて、ソース機器を選択するための表示は部屋間接続が可能な際に実現されるユーザインタフェースのアプリケーションの一例であり、部屋間接続特有のその他アプリケーション、例えば、他接続機器へのデコードの要請、録画予約のデータベース化などの実現も可能である。
【０１７３】
また、図３２に示すシーケンスにおいて、例えば、６本の差動信号レーン（ビデオ伝送レーン）のうち、Data 0、Data 1の２本を使用しているとする。この場合、例えば、リビングのテレビ受信機１１は、同時に、寝室のテレビ受信機１２に接続されているソース機器からビデオデータを受信することも可能である。
【０１７４】
リビングのテレビ受信機１１のソース機器から寝室のテレビ受信機１２への接続（第１の接続）では、テレビ受信機１１とテレビ受信機１２との間を接続するインターフェースは、以下の構成とされる。すなわち、このインターフェースは、例えば差動信号レーン０、１を用いて、テレビ受信機１１からテレビ受信機１２への方向でビデオを伝送する構成とされる。
【０１７５】
その後、リビングのテレビ受信機１１から寝室のテレビ受信機１２に接続されているソース機器への伝送要求があった場合は、テレビ受信機１１とテレビ受信機１２との間を接続するインターフェースは、さらに、以下の構成が追加される。すなわち、このインターフェースは、例えば差動信号レーン２、３を用いて、テレビ受信機１２からテレビ受信機１１への方向でビデオを伝送する構成が追加される。実際のビデオ再生までのプロセスは、上述した寝室のテレビ受信機１２がリビングのテレビ受信機１１に接続されているソース機器からのビデオ再生を受けることと全く同じである。
【０１７６】
なお、上述の動作例は、寝室のテレビ受信機１２の視聴者がリビングのテレビ受信機１１に接続されているソース機器のビデオを視聴する例を示した。この際、これと同時に、リビングのテレビ受信機１１の視聴者が、同じビデオを視聴することも可能である。同様に、例えば、寝室のテレビ受信機１２で視聴しているビデオの伝送を、他の部屋のテレビ受信機が寝室との接続において要求することも可能である。このようにして、所謂、同一のコンテンツを家庭内において、多地点で視聴する、つまり１つの送信機と複数の受信機を接続する方法を本発明の接続を適用することにより、実現することも可能である。
【０１７７】
上述したように、図１に示すＡＶシステム１０においては、リビングのテレビ受信機１１と寝室のテレビ受信機１２との間にケーブル１３が接続されており、このケーブル１３には、複数、例えば６本の差動信号レーンが用意されている。そして、テレビ受信機１１とテレビ受信機１２との間では、この差動信号レーンを利用してビデオ等のデジタル信号の双方向伝送を行うことができる。
【０１７８】
この場合、テレビ受信機１１とテレビ受信機１２との間では、ケーブル１３に用意されている双方向通信ラインを利用した通信により、使用レーン（レーン数、レーン番号）、搬送クロック周波数などが確認決定される。そのため、複数の差動信号レーンのうち、伝送に必要とする差動信号レーンのみを用いて双方向伝送を行うことができ、ビデオなどのデジタル信号を他の電子機器との間で双方向に効率よく伝送することが可能となる。
【０１７９】
＜２．変形例＞
なお、上述の実施の形態においては、リビングのテレビ受信機１１と寝室のテレビ受信機１２とがケーブル１３を介して接続された例を示しているが、３部屋以上の間で接続される構成も同様に考えられる。図３４および図３５は、多部屋間接続形態の一例を示している。
【０１８０】
図３４の形態の場合、すなわち個々の部屋間接続を担う機器が経路中に存在する場合は、少なくともインターフェース部分のみ起動し、受信したデータを他方のインターフェースへ伝送する。図３５の形態の場合は、中心に位置するスイッチ機器が、各部屋間接続機器の接続時に行われるデータレーンの割当てなどを仲介する。
【０１８１】
図３６のシーケンス図は、図３５の形態、すなわち部屋間接続においてスイッチ機器が介在している場合の伝送開始までの制御に関するシーケンスを概略的に示している。この図において、送信側のテレビ受信機（シンク機器）を送信機とし、受信側のテレビ受信機（シンク機器）を受信機としている。
【０１８２】
部屋間接続にスイッチ機器が介在する場合は、部屋間接続については常にスイッチ機器が関与することになる。送信機側からはスイッチ機器しか見えていないため、スイッチ機器は常に送信機が部屋間で接続できる受信機の全ての振る舞いを行う必要がある。また、送信機から送られる指示については全て対象の受信機へ再送し、受信機からの報告についても同様である。
【０１８３】
すなわち、送信機がスイッチ機器に受信機との間の伝送路状態確認を要求するとき、スイッチ機器は送信機と受信機の両者の伝送路の状況を確認する。この場合、スイッチ機器は、必要であれば、受信機側の伝送路のスワップを行い、最大限の空きを確保してもよい。そして、スイッチ機器は、送信機に、受信機との間の伝送路状態確認を報告する。
【０１８４】
送信機は、伝送路状況を確認し、ビデオレートに従って使用レーン（レーン数、レーン番号）および搬送クロック周波数などの伝送路構成を決定する。なお、この伝送路構成には、伝送方向も含まれるが、ここでは、送信機から受信機の方向に決まる。また、搬送クロック周波数については、固定である場合には、決定する必要はない。
【０１８５】
次に、送信機は、スイッチ機器に、使用レーンおよび搬送クロック周波数を通知し、伝送（送信）を要求する。これに対して、スイッチ機器は、必要であれば伝送路をスワップする。例えば、送信機においては、Data 4、Data 5が使用されておらず、受信機においては、Data 0、Data 1が使用されていない場合を考える。この場合、スイッチ機器は、受信機において使われていないレーンを送信機側にData 0、Data 1であると通知し、スイッチ機器内で両レーンをスワップすることにより、より効率よく接続が可能になるようにしてもよい。
【０１８６】
次に、スイッチ機器は、受信機に、使用レーンおよび搬送クロック周波数を通知し、伝送（送信）を要求すると共に、両機器間の接続スイッチの構成を変更する。受信機は、要求に応じた伝送路が構成されるように、データ送受信部の伝送路構成を制御し、また、搬送クロック抽出のためのリファレンスクロックの周波数を設定する。この場合、リファレンスクロックの周波数は、通知された搬送クロック周波数に一致したものとされる。このようにリファレンスクロックの周波数が予め搬送クロック周波数に一致したものとされることで、デジタル信号からの搬送クロックの抽出を迅速に行うことが可能となる。
【０１８７】
次に、受信機は、データ送受信部の伝送路構成の変更が完了した旨を、スイッチ機器に報告する。ただし、受信機は、構成変更が不可な場合にはその旨を報告する。スイッチ機器は、この受信機からの報告を、さらに、送信機に報告する。なお、受信機からの報告が、構成変更が不可であるとの場合には、図示していないが、送信機は、スイッチ機器からの報告に基づいて、使用レーンおよび搬送クロック周波数などの伝送路構成を再決定し、上述のシーケンスを繰り返す場合もある。
【０１８８】
送信機は、データ送受信部の伝送路構成の変更が完了した旨の報告を受けた後、自身のデータ送受信部の伝送路構成を同様に変更し、その後に、使用レーンを利用して、デジタル信号の伝送を開始する。
【０１８９】
また、上述実施の形態において、例えばＤａｔａ０、１を使用している際のＤａｔａ２−５は新たな接続が構成されるまでは、アクティブになっている必要はない。これらのレーンを低消費電力モードとするか、あるいは電源供給を断つことによって、インターフェースとしてのシステムで消費される電力を必要最小限に留めて置くことも可能である。さらに、インターフェースを別系統のＨＤＭＩのＣＥＣラインに相当するような双方向通信ラインにて他方から起動することも可能なので、起動されるまではそのライン以外のシステムの電源を全て落としておくことも可能である。
【０１９０】
また、上述実施の形態において、各部屋のテレビ受信機とソース機器との間は現行ＨＤＭＩなどで接続されている。しかし、これらの間も、各部屋のテレビ受信機間の接続と同様のデジタルインタフェース３０（図２３参照）で接続されるようにしてもよい。
【産業上の利用可能性】
【０１９１】
この発明は、例えば、各部屋のテレビ受信機がケーブル接続されてなるＡＶシステム等に適用できる。
【符号の説明】
【０１９２】
１０・・・ＡＶシステム
１１，１２・・・テレビ受信機
１３，１５，１７・・・ケーブル
１４ａ・・・セットトップボックス
１４ｂ，１６ｂ・・・ＤＶＤプレーヤ
１４ｃ，１６ｃ・・・レコーダ
１４ｄ・・・ゲームコンソール
１４ｅ・・・ハンディカメラ
１６ａ・・・パーソナルコンピュータ
２０，３０・・・デジタルインタフェース
１１０・・・ソース機器
１１１・・・レセプタクル
１１２・・・データ送信部
１１３・・・制御部
１２０・・・シンク機器
１２１・・・レセプタクル
１２２・・・データ受信部
１２３・・・制御部
１３０，１４０・・・シンク機器
１３１，１４１・・・レセプタクル
１３２，１４２・・・データ送受信部
１３３，１４３・・・制御部
１５０・・・データ送受信部
１５１・・・データ送信回路
１５２・・・データ受信回路
１５３，１５３-0〜１５３-5・・・データチャネルインタフェース部
１６１・・・ＰＬＬ回路
１６２・・・エンコーダ
１６３・・・Ｄラッチ回路
１６４・・・ドライバ
１７１・・・入力アンプ
１７２・・・Ｄラッチ回路
１７３・・・クロック＆データリカバリ回路
１７４・・・ＰＬＬ回路
１７５・・・デコーダ
１８１・・・データパッキング方法決定回路
１８２・・・データパッキング回路
１８３・・・データデパッキング回路
２００，３００・・・ケーブル
２０１，２０２，３０１，３０２・・・プラグ
【図１】
0005987955.tif 000002
【図２】
0005987955.tif 000003
【図３】
0005987955.tif 000004
【図４】
0005987955.tif 000005
【図５】
0005987955.tif 000006
【図６】
0005987955.tif 000007
【図７】
0005987955.tif 000008
【図８】
0005987955.tif 000009
【図１２】
0005987955.tif 000010
【図１３】
0005987955.tif 000011
【図１４】
0005987955.tif 000012
【図１５】
0005987955.tif 000013
【図１６】
0005987955.tif 000014
【図１７】
0005987955.tif 000015
【図１８】
0005987955.tif 000016
【図１９】
0005987955.tif 000017
【図２０】
0005987955.tif 000018
【図２１】
0005987955.tif 000019
【図２２】
0005987955.tif 000020
【図２３】
0005987955.tif 000021
【図２４】
0005987955.tif 000022
【図２５】
0005987955.tif 000023
【図２６】
0005987955.tif 000024
【図２７】
0005987955.tif 000025
【図２８】
0005987955.tif 000026
【図２９】
0005987955.tif 000027
【図３０】
0005987955.tif 000028
【図３１】
0005987955.tif 000029
【図３２】
0005987955.tif 000030
【図３３】
0005987955.tif 000031
【図３４】
0005987955.tif 000032
【図３５】
0005987955.tif 000033
【図３６】
0005987955.tif 000034
【図３７】
0005987955.tif 000035
【図９】
0005987955.tif 000036
【図１０】
0005987955.tif 000037
【図１１】
0005987955.tif 000038